(57)【要約】  本発明は、アップリンク電力制御方法及びユーザー装置を開示する。当該方法は、ＵＥが、現在アップリンクサブフレームにおける各アップリンク同期のアップリンク・コンポーネント・キャリア上で伝送するアップリンク信号の目標発送電力を確定するステップと、現在アップリンクサブフレームにおいて、アップリンク・セカンダリーコンポーネントキャリアにＰＲＡＣＨ伝送があるかを判断するステップと、もしあると判断すれば、前記ＰＲＡＣＨの目標発送電力を確定し、前記アップリンク信号と前記ＰＲＡＣＨの目標発送電力の和が前記ＵＥの最大発送電力を超えるか否かを判断するステップと、もし超えると判断すれば、前記ＰＲＡＣＨの目標発送電力をそのままに保持し、且つ現在アップリンクサブフレームにおける前記アップリンク信号中の電力減少を行なう必要があるアップリンク信号の全部または一部のＳＣ−ＦＤＭＡ符号の目標発送電力を減少するステップとを備える。本発明の技術案は、ＰＲＡＣＨが他のアップリンク信号と重複伝送する場合、アップリンク電力制御を行なう。
2015515197.tif 000002
【特許請求の範囲】
【請求項１】
アップリンク電力制御方法であって、
ユーザー装置（ＵＥ）が、現在アップリンクサブフレームにおける各アップリンク同期のアップリンク・コンポーネント・キャリア上で伝送するアップリンク信号の目標発送電力を確定するステップと、
現在アップリンクサブフレームにおいて、アップリンク・セカンダリーコンポーネントキャリアに物理ランダムアクセス・チャネル（ＰＲＡＣＨ）伝送があるか否かを判断するステップと、
もしあると判断すれば、前記ＰＲＡＣＨの目標発送電力を確定し、前記アップリンク信号と前記ＰＲＡＣＨの目標発送電力の和が前記ＵＥの最大発送電力を超えるか否かを判断するステップと、
もし超えると判断すれば、前記ＰＲＡＣＨの目標発送電力をそのままに保持し、現在アップリンクサブフレームにおける前記アップリンク信号の発送電力の和が前記ＵＥの最大発送電力から前記ＰＲＡＣＨの目標発送電力をひいた差を越えないことを満足するまでに、現在アップリンクサブフレームにおける前記アップリンク信号中の電力減少を行なう必要があるアップリンク信号の全部または一部のシングルキャリア周波数分割多重接続（ＳＣ−ＦＤＭＡ）符号の目標発送電力を減少するステップとを備えることを特徴とするアップリンク電力制御方法。
【請求項２】
前記アップリンク信号と前記ＰＲＡＣＨの目標発送電力の和が前記ＵＥの最大発送電力を超えないと判断すれば、前記アップリンク信号及び前記ＰＲＡＣＨの目標発送電力で送信するステップをさらに備えることを特徴とする請求項１に記載のアップリンク電力制御方法。
【請求項３】
もし現在アップリンクサブフレームにおいて、アップリンク・セカンダリーコンポーネントキャリアにＰＲＡＣＨ伝送がないと判断すれば、
前記アップリンク信号の目標発送電力の和が前記ＵＥの最大発送電力を超えるか否かを判断し、もし超えると判断すれば、現在アップリンクサブフレームにおける前記アップリンク信号の発送電力の和が前記ＵＥの最大発送電力を超えないことを満足するまでに、現在アップリンクサブフレームにおける前記アップリンク信号中の電力減少を行なう必要があるアップリンク信号の全部ＳＣ−ＦＤＭＡ符号の目標発送電力を減少し、もし超えないと判断すれば、前記アップリンク信号の目標発送電力で送信するステップをさらに備えることを特徴とする請求項１に記載のアップリンク電力制御方法。
【請求項４】
現在アップリンクサブフレームにおいて、アップリンク・セカンダリーコンポーネントキャリアにＰＲＡＣＨ伝送がないと判断すれば、
現在アップリンクサブフレームの直前隣接アップリンクサブフレームにおいて、アップリンク・セカンダリーコンポーネントキャリアにＰＲＡＣＨ伝送がある場合、現在アップリンクサブフレームにおける前記アップリンク信号が、直前隣接アップリンクサブフレームにおける前記ＰＲＡＣＨに搬送されるｐｒｅａｍｂｌｅシーケンスと重複するかを判断するステップと、
もし重複しないと判断すれば、前記アップリンク信号の目標発送電力の和が前記ＵＥの最大発送電力を超えるか否かをさらに判断し、もし超えると判断すれば、現在アップリンクサブフレームにおける前記アップリンク信号の発送電力の和が前記ＵＥの最大発送電力を超えないことを満足するまでに、現在アップリンクサブフレームにおける前記アップリンク信号中の電力減少を行なう必要があるアップリンク信号の全部ＳＣ−ＦＤＭＡ符号の目標発送電力を減少し、もし超えないと判断すれば、前記アップリンク信号の目標発送電力で送信するステップと、
もし重複すると判断すれば、直前隣接アップリンクサブフレームにおける前記ＰＲＡＣＨの目標発送電力を判断し、且つ現在アップリンクサブフレームにおける前記アップリンク信号と直前隣接アップリンクサブフレームにおける前記ＰＲＡＣＨの目標発送電力の和が前記ＵＥの最大発送電力を超えるか否かをさらに判断し、もし超えると判断すれば、直前隣接アップリンクサブフレームにおける前記ＰＲＡＣＨの目標発送電力をそのままに保持し、且つ、現在アップリンクサブフレームにおける前記アップリンク信号の発送電力の和が前記ＵＥの最大発送電力から前記ＰＲＡＣＨの目標発送電力をひいた差を越えないことを満足するまでに、現在アップリンクサブフレームにおける前記アップリンク信号中の電力減少を行なう必要があるアップリンク信号の全部または一部のＳＣ−ＦＤＭＡ符号の目標発送電力を減少し、もし超えないと判断すれば、前記アップリンク信号の目標発送電力で送信するステップとをさらに備えることを特徴とする請求項１に記載のアップリンク電力制御方法。
【請求項５】
現在アップリンクサブフレームにおける前記アップリンク信号中の電力減少を行なう必要があるアップリンク信号の一部ＳＣ−ＦＤＭＡ符号の目標発送電力を減少することは、
前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複ＳＣ−ＦＤＭＡ符号が所在するタイムスロット内の全部ＳＣ−ＦＤＭＡ符号の目標発送電力を減少し、
または、前記アップリンク信号に少なくとも２つのアップリンク信号が含まれ、且つ各アップリンク信号の目標発送電力の和が前記ＵＥの最大発送電力を超えなければ、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少し、そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少することを含むことを特徴とする請求項４に記載のアップリンク電力制御方法。
【請求項６】
現在アップリンクサブフレームにおける前記アップリンク信号中の電力減少を行なう必要があるアップリンク信号の全部または一部のＳＣ−ＦＤＭＡ符号の目標発送電力を減少することは、
前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少することと、
ここで、前記重複するＳＣ−ＦＤＭＡ符号が、当該アップリンク信号が現在アップリンクサブフレーム及び直前隣接アップリンクサブフレーム中的ＰＲＡＣＨにより搬送されるｐｒｅａｍｂｌｅシーケンスと重複するＳＣ−ＦＤＭＡ符号を含み、
または、もし前記アップリンク信号に少なくとも２つのアップリンク信号が含まれ、且つ各アップリンク信号の目標発送電力の和が前記ＵＥの最大発送電力を超えなければ、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少することと、
ここで、前記重複するＳＣ−ＦＤＭＡ符号が、当該アップリンク信号が現在アップリンクサブフレーム及び直前隣接アップリンクサブフレーム中的ＰＲＡＣＨにより搬送されるｐｒｅａｍｂｌｅシーケンスと重複するＳＣ−ＦＤＭＡ符号をふくみ、そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少し、
または、前記アップリンク信号中の電力減少をする必要があるアップリンク信号に対し、現在アップリンクサブフレームにおける当該アップリンク信号がＰＲＡＣＨにより搬送されるｐｒｅａｍｂｌｅシーケンスと重複するＳＣ−ＦＤＭＡ符号数または現在アップリンクサブフレームにおける当該アップリンク信号がＰＲＡＣＨにより搬送されるｐｒｅａｍｂｌｅシーケンスと重複する送信時間長さに基づいて、当該アップリンク信号の全部または一部のＳＣ−ＦＤＭＡ符号の目標発送電力を減少することをを含み、
ここで、前記重複するＳＣ−ＦＤＭＡ符号または重複する送信時間が、当該アップリンク信号が現在アップリンクサブフレーム及び直前隣接アップリンクサブフレーム中的ＰＲＡＣＨにより搬送されるｐｒｅａｍｂｌｅシーケンスと重複するＳＣ−ＦＤＭＡ符号または重複する送信時間を含むことを特徴とする請求項１に記載のアップリンク電力制御方法。
【請求項７】
前記アップリンク信号中の電力減少をする必要があるアップリンク信号に対し、現在アップリンクサブフレームにおける当該アップリンク信号がＰＲＡＣＨにより搬送されるｐｒｅａｍｂｌｅシーケンスと重複するＳＣ−ＦＤＭＡ符号数または現在アップリンクサブフレームにおける当該アップリンク信号がＰＲＡＣＨにより搬送されるｐｒｅａｍｂｌｅシーケンスと重複する送信時間長さに基づいて、当該アップリンク信号の全部または一部のＳＣ−ＦＤＭＡ符号の目標発送電力を減少することは、
前記重複するＳＣ−ＦＤＭＡ符号数が予め設定したＳＣ−ＦＤＭＡ符号数より大きくないかを判断するか、または、前記重複する送信時間長さが予め設定した時間長さ閾値より大きくないかを判断し、
もし大きくないと判断すれば、現在アップリンクサブフレームにおける当該アップリンク信号内の前記重複するＳＣ−ＦＤＭＡ符号の目標発送電力，または降低現在アップリンクサブフレームにおける当該アップリンク信号中前記重複するＳＣ−ＦＤＭＡ符号が所在するタイムスロット内の全部ＳＣ−ＦＤＭＡ符号の目標発送電力を減少し、
もし大きいと判断すれば、現在アップリンクサブフレームにおける当該アップリンク信号の全部ＳＣ−ＦＤＭＡ符号の目標発送電力を減少することと、
または、
もし現在アップリンクサブフレームにおける前記アップリンク信号に少なくとも２つの  アップリンク信号が含まれ、且つ各アップリンク信号の目標発送電力の和が前記ＵＥの最大発送電力を超えれば、現在アップリンクサブフレームにおける電力減少をする必要があるアップリンク信号の全部ＳＣ−ＦＤＭＡ符号の目標発送電力を減少し、
そうでなければ、前記アップリンク信号中の電力減少をする必要があるアップリンク信号に対し、前記重複するＳＣ−ＦＤＭＡ符号数が予め設定したＳＣ−ＦＤＭＡ符号数より大きくないかを判断するか、・または、前記重複する送信時間長さが予め設定した時間長さ閾値より大きくないかを判断し、
もし大きくないと判断すれば、現在アップリンクサブフレームにおける当該アップリンク信号内の前記重複するＳＣ−ＦＤＭＡ符号の目標発送電力を減少するか、または、現在アップリンクサブフレームにおける当該アップリンク信号中前記重複するＳＣ−ＦＤＭＡ符号が所在するタイムスロット内の全部ＳＣ−ＦＤＭＡ符号の目標発送電力を減少し、大きいと判断れれば、現在アップリンクサブフレームにおける当該アップリンク信号の全部ＳＣ−ＦＤＭＡ符号の目標発送電力を減少することとを備えることを特徴とする請求項６に記載のアップリンク電力制御方法。
【請求項８】
現在アップリンクサブフレームにおける前記アップリンク信号中の電力減少を行なう必要があるアップリンク信号の全部または一部のＳＣ−ＦＤＭＡ符号の目標発送電力を減少することは、
アップリンク信号優先レベルに基づいて、現在アップリンクサブフレームにおける前記アップリンク信号中の、最低優先レベルであり、且つ発送電力が零ではないアップリンク信号を、電力減少をする必要があるアップリンク信号として確定し、前記電力減少をする必要があるアップリンク信号の全部または一部のＳＣ−ＦＤＭＡ符号の目標発送電力に対し、電力を均一に減少するか、
または、もし現在アップリンクサブフレームにおける前記アップリンク信号にサウディグ・リファレンス信号（ＳＲＳ）が含まれば、アップリンク信号優先レベルに基づいて、現在アップリンクサブフレームにおける前記アップリンク信号中の、ＳＲＳ以外の、最低優先レベルであり、且つ発送電力が零ではないアップリンク信号を、電力減少をする必要があるアップリンク信号として確定し、ＳＲＳ以外の現在アップリンクサブフレームにおける前記アップリンク信号の目標発送電力の和が現在使用可能の最大発送電力を超えないことを満足するまでに、前記電力減少をする必要があるアップリンク信号の全部または一部のＳＣ−ＦＤＭＡ符号の目標発送電力に対して、電力を均一に減少し、且つ、現在アップリンクサブフレームにおける前記ＳＲＳと前記アップリンク信号中の前記ＳＲＳと重複するアップリンク信号の発送電力の和が現在使用可能の最大発送電力を超えないことを満足するまでに、前記ＳＲＳの目標発送電力に対して、電力を均一に減少することを含み、
前記現在使用可能の最大発送電力は、前記ＵＥの最大発送電力または前記ＵＥの最大発送電力からＰＲＡＣＨをひいた目標発送電力であり、
ここで、前記アップリンク信号優先レベルの高低順番は、物理アップリンク制御チャネル（ＰＵＣＣＨ）、アップリンク制御情報（ＵＣＩ）を搬送する物理アップリンク共有チャネル（ＰＵＳＣＨ）、ＵＣＩを搬送しないＰＵＳＣＨ、ＳＲＳであることを特徴とする請求項１から請求項７のいずれかに記載のアップリンク電力制御方法。
【請求項９】
前記アップリンク信号は、ＰＵＣＣＨ及び/またはＰＵＳＣＨ及び/またはＳＲＳを含むことを特徴とする請求項１~請求項７のいずれかに記載のアップリンク電力制御方法。
【請求項１０】
もし前記ＰＲＡＣＨが複数のアップリンクサブフレームにおいて持続送信される場合、各アップリンクサブフレームにおけるＰＲＡＣＨの発送電力が同一であることを特徴とする請求項１から請求項７のいずれかに記載のアップリンク電力制御方法。
【請求項１１】
ユーザー装置であって、
前記ユーザー装置は、
現在アップリンクサブフレームにおける各アップリンク同期のアップリンク・コンポーネント・キャリア上で伝送するアップリンク信号の目標発送電力を確定する第１発送電力確定ユニットと、
現在アップリンクサブフレームにおいて、アップリンク・セカンダリーコンポーネントキャリアに物理ランダムアクセス・チャネル（ＰＲＡＣＨ）伝送があるか否かを判断するチャネル判断ユニットと、
チャネル判断ユニットがあると判断する場合、前記ＰＲＡＣＨの目標発送電力を確定する第２発送電力確定ユニットと、
前記アップリンク信号と前記ＰＲＡＣＨの目標発送電力の和が前記ユーザー装置（ＵＥ）の最大発送電力を超えるか否かを判断する発送電力判断ユニットと、
発送電力判断ユニットが超えると判断する場合、前記ＰＲＡＣＨの目標発送電力をそのままに保持し、且つ、現在アップリンクサブフレームにおける前記アップリンク信号の発送電力の和が前記ＵＥの最大発送電力から前記ＰＲＡＣＨの目標発送電力をひいた差を越えないことを満足するまでに、現在アップリンクサブフレームにおける前記アップリンク信号中の電力減少を行なう必要があるアップリンク信号の全部または一部のシングルキャリア周波数分割多重接続（ＳＣ−ＦＤＭＡ）符号の目標発送電力を減少する電力制御ユニットとを備えることを特徴とするユーザー装置。
【請求項１２】
前記ユーザー装置は、
発送電力判断ユニットが、前記アップリンク信号と前記ＰＲＡＣＨの目標発送電力の和が前記ＵＥの最大発送電力を超えないと判断すれば、前記アップリンク信号及び前記ＰＲＡＣＨの目標発送電力で送信する送信ユニットとをさらに備えることを特徴とする請求項１１に記載のユーザー装置。
【請求項１３】
前記チャネル判断ユニットが、現在アップリンクサブフレームにおいて、アップリンク・セカンダリーコンポーネントキャリアにＰＲＡＣＨ伝送がないと判断すれば、前記発送電力判断ユニットは、前記アップリンク信号の目標発送電力の和が前記ＵＥの最大発送電力を超えるか否かを判断し、
前記発送電力判断ユニットが超えると判断すれば、前記電力制御ユニットは、現在アップリンクサブフレームにおける前記アップリンク信号の発送電力の和が前記ＵＥの最大発送電力を超えないことを満足するまでに、現在アップリンクサブフレームにおける前記アップリンク信号中の電力減少を行なう必要があるアップリンク信号の全部ＳＣ−ＦＤＭＡ符号の目標発送電力を減少し、
前記発送電力判断ユニットが超えないと判断すれば、前記送信ユニットは、前記アップリンク信号の目標発送電力で送信することを特徴とする請求項１１に記載のユーザー装置。
【請求項１４】
前記ユーザー装置は、
前記チャネル判断ユニットが、現在アップリンクサブフレームにおいて、アップリンク・セカンダリーコンポーネントキャリアにＰＲＡＣＨ伝送がなく、且つ現在アップリンクサブフレームの直前隣接アップリンクサブフレームにおいて、アップリンク・セカンダリーコンポーネントキャリアにＰＲＡＣＨ伝送があると判断すれば、現在アップリンクサブフレームにおける前記アップリンク信号が直前隣接アップリンクサブフレームにおける前記ＰＲＡＣＨに搬送されるｐｒｅａｍｂｌｅシーケンスと重複するかを、判断する重複判断ユニットをさらに備え、
前記重複判断ユニットが重複しないと判断すれば、前記発送電力判断ユニットは、前記アップリンク信号の目標発送電力の和が前記ＵＥの最大発送電力を超えるか否かを判断し、
前記発送電力判断ユニットが、前記アップリンク信号の目標発送電力の和が前記ＵＥの最大発送電力を超えると判断Ｓれば、前記電力制御ユニットは、現在アップリンクサブフレームにおける前記アップリンク信号の発送電力の和が前記ＵＥの最大発送電力を超えないことを満足するまでに、現在アップリンクサブフレームにおける前記アップリンク信号中の電力減少を行なう必要があるアップリンク信号の全部ＳＣ−ＦＤＭＡ符号の目標発送電力を減少し、
前記発送電力判断ユニットが、前記アップリンク信号の目標発送電力の和が前記ＵＥの最大発送電力を超えないと判断すれば、前記送信ユニットは、前記アップリンク信号の目標発送電力で送信し、
前記重複判断ユニットが重複すると判断すれば、前記第２発送電力確定ユニットは、直前隣接アップリンクサブフレームにおける前記ＰＲＡＣＨの目標発送電力を確定し、前記発送電力判断ユニットは、現在アップリンクサブフレームにおける前記アップリンク信号と直前隣接アップリンクサブフレームにおける前記ＰＲＡＣＨの目標発送電力の和が前記ＵＥの最大発送電力を超えるか否かを判断し、
前記発送電力判断ユニットが、現在アップリンクサブフレームにおける前記アップリンク信号と直前隣接アップリンクサブフレームにおける前記ＰＲＡＣＨの目標発送電力の和が前記ＵＥの最大発送電力を超えると判断すれば、前記電力制御ユニットは、直前隣接アップリンクサブフレームにおける前記ＰＲＡＣＨの目標発送電力をそのままに保持し、且つ、現在アップリンクサブフレームにおける前記アップリンク信号の発送電力の和が前記ＵＥの最大発送電力から前記ＰＲＡＣＨの目標発送電力をひいた差を越えないことを満足するまでに、現在アップリンクサブフレームにおける前記アップリンク信号中の電力減少を行なう必要があるアップリンク信号の全部または一部のＳＣ−ＦＤＭＡ符号の目標発送電力を減少し、
前記発送電力判断ユニットが、現在アップリンクサブフレームにおける前記アップリンク信号と直前隣接アップリンクサブフレームにおける前記ＰＲＡＣＨの目標発送電力の和が前記ＵＥの最大発送電力を超えないと判断すれば、前記送信ユニットは、前記アップリンク信号の目標発送電力で送信することを特徴とする請求項１１に記載のユーザー装置。
【請求項１５】
前記電力制御ユニットが、直前隣接アップリンクサブフレームにおける前記ＰＲＡＣＨの目標発送電力をそのままに保持し、且つ現在アップリンクサブフレームにおける前記アップリンク信号中の電力減少を行なう必要があるアップリンク信号の一部ＳＣ−ＦＤＭＡ符号の目標発送電力を減少する場合、前記電力制御ユニットは、
前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複ＳＣ−ＦＤＭＡ符号が所在するタイムスロット内の全部ＳＣ−ＦＤＭＡ符号の目標発送電力を減少し、
または、もし前記アップリンク信号に少なくとも２つのアップリンク信号が含まれ、且つ各アップリンク信号の目標発送電力の和が前記ＵＥの最大発送電力を超えれば、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少し、そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少することを特徴とする請求項１１に記載のユーザー装置。
【請求項１６】
前記電力制御ユニットは、
前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少し、ここで、前記重複するＳＣ−ＦＤＭＡ符号は、当該アップリンク信号が、現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号を含み、
または、もし前記アップリンク信号に少なくとも２つのアップリンク信号が含まれ、且つ各アップリンク信号の目標発送電力の和が前記ＵＥの最大発送電力を超えれば、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少し、ここで、前記重複するＳＣ−ＦＤＭＡ符号は、当該アップリンク信号が現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号を含み、そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少するか、
または、前記アップリンク信号中の電力減少をする必要があるアップリンク信号に対し、現在アップリンクサブフレームにおける当該アップリンク信号がＰＲＡＣＨにより搬送されるｐｒｅａｍｂｌｅシーケンスと重複するＳＣ−ＦＤＭＡ符号数または現在アップリンクサブフレームにおける当該アップリンク信号がＰＲＡＣＨにより搬送されるｐｒｅａｍｂｌｅシーケンスと重複する送信時間長さに基づいて、当該アップリンク信号の全部または一部のＳＣ−ＦＤＭＡ符号の目標発送電力を減少し、ここで、前記重複するＳＣ−ＦＤＭＡ符号または重複する送信時間は、当該アップリンク信号が現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号または重複する送信時間を含むことを特徴とする請求項１１に記載のユーザー装置。
【請求項１７】
前記電力制御ユニットは、
前記重複するＳＣ−ＦＤＭＡ符号数が予め設定したＳＣ−ＦＤＭＡ符号数より大きくないかを判断するか、または、前記重複する送信時間長さが予め設定した時間長さ閾値より大きくないかを判断し、
もし大きくないと判断すれば、現在アップリンクサブフレームにおける当該アップリンク信号内の前記重複するＳＣ−ＦＤＭＡ符号の目標発送電力を減少するか、または、現在アップリンクサブフレームにおける当該アップリンク信号内の、前記重複するＳＣ−ＦＤＭＡ符号が所在するタイムスロット内の全部ＳＣ−ＦＤＭＡ符号の目標発送電力を減少し、
そうでなければ、現在アップリンクサブフレームにおける当該アップリンク信号の全部ＳＣ−ＦＤＭＡ符号の目標発送電力を減少し、
または、
もし現在アップリンクサブフレームにおける前記アップリンク信号に少なくとも２つのアップリンク信号が含まれ、且つ各アップリンク信号の目標発送電力の和が前記ＵＥの最大発送電力を超えれば、現在アップリンクサブフレームにおける電力減少をする必要があるアップリンク信号の全部ＳＣ−ＦＤＭＡ符号の目標発送電力を減少し、
そうでなければ、前記アップリンク信号中の電力減少をする必要があるアップリンク信号に対し、前記重複するＳＣ−ＦＤＭＡ符号数が予め設定したＳＣ−ＦＤＭＡ符号数より大きくないかを判断するか、または、前記重複する送信時間長さが予め設定した時間長さ閾値より大きくないかを判断し、
もし大きくないと判断すれば、現在アップリンクサブフレームにおける当該アップリンク信号内の、前記重複するＳＣ−ＦＤＭＡ符号の目標発送電力を減少するか、または、現在アップリンクサブフレームにおける当該アップリンク信号中前記重複するＳＣ−ＦＤＭＡ符号が所在するタイムスロット内の全部ＳＣ−ＦＤＭＡ符号の目標発送電力を減少し、そうでなければ、現在アップリンクサブフレームにおける当該アップリンク信号の全部ＳＣ−ＦＤＭＡ符号の目標発送電力を減少することを特徴とする請求項１６に記載のユーザー装置。
【請求項１８】
前記電力制御ユニットは、
アップリンク信号優先レベルに基づいて、現在アップリンクサブフレームにおける前記アップリンク信号中の、最低優先レベルであり、且つ発送電力が零ではないアップリンク信号を、電力減少をする必要があるアップリンク信号として確定し、前記電力減少をする必要があるアップリンク信号の全部または一部のＳＣ−ＦＤＭＡ符号の目標発送電力に対して、電力を均一に減少するか、
または、もし現在アップリンクサブフレームにおける前記アップリンク信号にサウディグ・リファレンス信号（ＳＲＳ）が含まれば、アップリンク信号優先レベルに基づいて、現在アップリンクサブフレームにおける前記アップリンク信号中の、ＳＲＳ以外の、最低優先レベルであり、且つ発送電力が零ではないアップリンク信号を、電力減少をする必要があるアップリンク信号として確定し、ＳＲＳ以外の現在アップリンクサブフレームにおける前記アップリンク信号の目標発送電力の和が現在使用可能の最大発送電力を超えないことを満足するまでに、前記電力減少をする必要があるアップリンク信号の全部または一部のＳＣ−ＦＤＭＡ符号の目標発送電力に対して、電力を均一に減少し、且つ、現在アップリンクサブフレームにおける前記ＳＲＳ及び前記アップリンク信号中の、前記ＳＲＳと重複するアップリンク信号の発送電力の和が現在使用可能の最大発送電力を超えないことを満足するまでに、前記ＳＲＳの目標発送電力に対して、電力を均一に減少し、
前記現在使用可能の最大発送電力は、前記ＵＥの最大発送電力または前記ＵＥの最大発送電力からＰＲＡＣＨをひいた目標発送電力であり、
ここで、前記アップリンク信号優先レベルの高低順番は、物理アップリンク制御チャネル（ＰＵＣＣＨ）＞アップリンク制御情報（ＵＣＩ）を搬送する物理アップリンク共有チャネル（ＰＵＳＣＨ）＞ＵＣＩを搬送しないＰＵＳＣＨ＞ＳＲＳであることを特徴とする請求項１１から請求項１７に記載のユーザー装置。
【請求項１９】
前記アップリンク信号は、ＰＵＣＣＨ及び／またはＰＵＳＣＨ及び／またはＳＲＳを含むことを特徴とする請求項１１から請求項１７に記載のユーザー装置。
【請求項２０】
もし前記ＰＲＡＣＨが複数のアップリンクサブフレームにおいて持続的に送信される場合、各アップリンクサブフレームにおけるＰＲＡＣＨＤ発送電力が同一であることを特徴とする請求項１１から請求項１７に記載のユーザー装置。
【発明の詳細な説明】
【技術分野】
【０００１】
本発明は通信技術分野に関し、特にアップリンク電力制御方法及ユーザー装置に関する。
【背景技術】
【０００２】
本出願は、２０１２年３月２６日に中国特許局に提出し、出願番号が２０１２１００８２４５５.３であり、発明名称が「アップリンク電力制御方法及びユーザー装置」との中国特許出願を基礎とする優先権を主張し、その開示の総てをここに取り込む。
【０００３】
LTE-Ａ（Ｌｏｎｇ  Ｔｅｒｍ  Ｅｖｏｌｕｔｉｏｎ−Ａｄｖａｎｃｅｄ）Ｒｅｌ-１０（Ｒｅｌｅａｓｅ-１０）において、アップリンクは、Ｉｎｔｒａ−ｂａｎｄのＣＡ（Ｃａｒｒｉｅｒ  Ａｇｇｒｅｇａｔｉｏｎ，キャリアアグリゲーション）のみをサポートし、各キャリアの無線信号の伝送特性が類似するため、各キャリアは、ＰＣＣ（Ｐｒｉｍａｒｙ  Ｃｏｍｐｏｎｅｎｔ  Ｃａｒｒｉｅｒ，プライマリー・コンポーネント・キャリア）上のＲＡ（Ｒａｎｄｏｍ  Ａｃｃｅｓｓ）により獲得したＴＡ（Ｔｉｍｅ  Ａｄｖａｎｃｅ）に基づいて、アップリンク送信時間を調整する。即ち、複数のキャリアのアップリンク送信時刻が整合（ａｌｉｇｎｉｎｇ）され、現在アップリンクサブフレームおけるアップリンク信号と、隣接アップリンクサブフレームにおけるアップリンク信号の重複伝送状況にならない。アップリンクサブフレームにおける全部アップリンクキャリアが同一のＴＡを利用するため、ＰＣＣアップリンクが同期外れの場合、他のキャリアもアップリンク同期外れになる。このとき、ＵＥ（Ｕｓｅｒ  Ｅｑｕｉｐｍｅｎｔ，ユーザー装置）は、ＰＣＣ上のＲＡプロセスによって新ＴＡを獲得する。当該プロセスにおいて、ＰＵＣＣＨ（Ｐｈｙｓｉｃａｌ  Ｕｐｌｉｎｋ  Ｃｏｎｔｒｏｌ  Ｃｈａｎｎｅｌ，物理アップリンク制御チャネル）、ＰＵＳＣＨ（Ｐｈｙｓｉｃａｌ  Ｕｐｌｉｎｋ  Ｓｈａｒｅｄ  Ｃｈａｎｎｅｌ，物理アップリンク共有チャネル）、ＳＲＳ（Sounding Reference Signal，サウディグ・リファレンス信号）等のアップリンク信号の伝送は存在しないため、ＰＲＡＣＨ（Ｐｈｙｓｉｃａｌ Ｒａｎｄｏｍ Ａｃｃｅｓｓ Ｃｈａｎｎｅｌ，物理ランダムアクセスチャネル）とＰＵＣＣＨ、ＰＵＳＣＨ、ＳＲＳ等アップリンク信号との同時伝送が行なう可能性がない。
【０００４】
ＰＲＡＣＨは、ランダムアクセス・プリアンブルシーケンス（ｐｒｅａｍｂｌｅ ｓｅｑｕｅｎｃｅ）を搬送することにより、ＴＡを獲得する。図１に示すように、ｐｒｅａｍｂｌｅシーケンスは、ＣＰ（Cyclic Prefix，サイクリック・プレフィックス）とＳｅｑｕｅｎｃｅ（シーケンス）との２部分によりなり、ＣＰの長さはTＣＰであり、Ｓｅｑｕｅｎｃｅの長さはTSEQであり、ＰＲＡＣＨの最後部分にＧＴ（Guard Time，がーと間隔）が保留される。ＰＲＡＣＨの構造は図２に示すように、ＰＲＡＣＨの長さが１つのTTI（Transmission Time Interval，伝送時間間隔） ｄｕｒａｔｉｏｎ（持続時間）である。ここで、ＣＰ及びＧＴは、ＰＲＡＣＨと直前または直後のアップリンクサブフレームとの間の干渉を防ぐために用いられ、ＣＰ及びＧＴの値は、最大ＲＴＤ（Ｒｏｕｎｄ Ｔｒｉｐ Ｄｅｌａｙ，往復遅延）を示し、このような遅延は、セルのサイズ及び最大チャネル遅延拡張により決められる。
【０００５】
異なるセルカバリッジをサポートするため、LTEシステムにおいて５つのｐｒｅａｍｂｌｅ ｆｏｒｍａｔ（フォーマット）が定義され、具体的にはテーブル１に示すパラメータである。
【０００６】
【表１】
2015515197.tif 000003
【０００７】
ここで、Tsは、ｐｒｅａｍｂｌｅシーケンスが所在するするキャリアのシステムサンプリング間隔を示し、Ts=1/30720ｍｓ（millisecond）である。Ｆｏｒｍａｔ ４は、ＴＤＤ（Ｔｉｍｅ Ｄｉｖｉｓｉｏｎ Ｄｕｐｌｅｘ）モードに専属され、半径が２キロメートル前後のホットゾーンに用いられ、２つのＳＣ−ＦＤＭＡ（Ｓｉｎｇｌｅ ｃａｒｒｉｅｒ Ｆｒｅｑｕｅｎｃｙ Ｄｉｖｉｓｉｏｎ Ｍｕｌｔｉｐｌｅ Ａｃｃｅｓｓ，シングルキャリア周波数分割多重悪説）符号が設定されたUpPTS（Ｕｐｌｉｎｋ Ｐｉｌｏｔ Ｔｉｍｅ Ｓｌｏｔ，アップリンクパイロット・タイムスロット）のみにおいて伝送され、アヘッドUpPTSサブフレーム末端4832Tsの位置から伝送が始まる。各キャリアの設定は、全部上位層により決める。伝送長さが１ｍｓを超えるＰＲＡＣＨは、常に連続のアップリンクサブフレームを占用して伝送する。
【０００８】
ＬＴＥ−Ａ Ｒｅｌ-１０において、ＣＡＵＥに対してアップリンクサブフレームiのＰＣＣ上にて伝送するＰＵＣＣＨの目標発送電力PPUCCH(i)と、ＰＣＣ上にて伝送するＰＲＡＣＨの目標発送電力PPRACH(i)とをそれぞれを定義し、即ち、キャリアごとに伝送するＰＵＳＣＨの目標発送電力PPUSCH,C(i)及び个キャリアごとに伝送するＳＲＳの目標発送電力PSRS,C(i)であり、ここで、cはキャリア番号であり、iはサブフレーム番号である。
【０００９】
ＬＴＥ−Ａ Ｒｅｌ-１０において、同一または異なるキャリアにおけるＰＵＣＣＨ及びＰＵＳＣＨが同一のアップリンクサブフレームにおいて同時伝送することがサポートされ、異なるキャリアにおけるＰＵＳＣＨが同一のアップリンクサブフレームにおいて同時伝送することがサポートされる。もしＵＥの現在アップリンクサブフレームiでの総計発送電力がＵＥの許可最大発送電力を超えれば、当該アップリンクサブフレームにおけるアップリンク信号に対して、アップリンク信号に基づいて平均ｐｏｗｅｒ  Ｓｃａｌｉｎｇ（パワースケーリング）を行なう。即ち、ＵＥのアップリンク発送電力を制御し、同一アップリンク信号優先レベルのアップリンク信号は、同一電力減少（power scaling）因子を有する。電力減少の場合、ＵＥは、ＰＵＣＣＨの目標発送電力を減少しないことを優先確保し、まずキャリアｃ上のＰＵＳＣＨの目標発送電力を減少させることにより、電力減少後の全部アップリンク信号の発送電力の和がＵＥの許可最大発送電力PCMAX(i)を超えないことを満足する。
【００１０】
【数１】
2015515197.tif 000004
【００１１】
もしＵＥの現在アップリンクサブフレームiにおけるＰＵＳＣＨが、ＵＣＩ（Uplink Control Information，アップリンク制御情報）を搬送するＰＵＳＣＨと、ＵＣＩを搬送しないＰＵＳＣＨとを含み、かつＵＥの総計発送電力が最大許可発送電力を超えれば、ＵＥは、まず優先的にＵＣＩを搬送するＰＵＳＣＨの目標発送電力が減少しないことを確保し、各キャリア上でＵＣＩを搬送しないＰＵＳＣＨの目標発送電力を均一に減少することにより、電力減少後の全部アップリンク信号の発送電力の和がＵＥの許可最大発送電力を超えないことを満足する。即ち、数式２と数式３とを満足する。
【００１２】
【数２】
2015515197.tif 000005
【００１３】
【数３】
2015515197.tif 000006
【００１４】
ＵＣＩを搬送しないＰＵＳＣＨ電力が全部０に減少しても、ＵＥの総計発送電力が最大許可発送電力を超えれば、ＵＣＩを搬送するＰＵＳＣＨの電力を更に減少する。
【００１５】
ＬＴＥ-Ａ Ｒｅｌ-１１において、アップリンクの異なる帯域のＣＡとMacro eNodeB及びRRH（Remote Radio Head）混合のＣＡ配置案をサポートする。異なる帯域の無線信号伝送特性及び伝送経路が異なる可能性があるため、アップリンク伝送遅延が異なり、これにより、異なるキャリアが同一のアップリンクサブフレームにおいて送信する信号が基地局に届く時間が異なるとの原因で、Ｒｅｌ-１１において、異なるキャリアにおいて、異なるＴＡでアップリンク送信時間を調整する可能性がある。そのため、ＬＴＥ-Ａ Ｒｅｌ-１１にＴＡ ｇｒｏｕｐ（グルップ）概念を導入し、同一または類似する伝送遅延であるキャリアを１つグルップに分けて、ＴＡ ｇｒｏｕｐと呼ばれる。同一ＴＡ ｇｒｏｕｐに属するキャリアは、同一のＴＡを利用し、当該ＴＡ ｇｒｏｕｐにおける１つのキャリア上のＲＡプロセスによって、当該ＴＡ ｇｒｏｕｐに対応するＴＡ値を獲得しり。１つのＴＡ ｇｒｏｕｐアップリンクが同期外れになる場合、当該ＴＡ ｇｒｏｕｐにおいて１つのキャリアを予約して、ＲＡプロセスによりアップリンク同期を執行する。ＰＣＣを含むＴＡ ｇｒｏｕｐについて、ＰＣＣはＲＡを行なうキャリアであり、ＳＣＣ（Ｓｅｃｏｎｄａｒｙ Ｃｏｍｐｏｎｅｎｔ Ｃａｒｒｉｅｒ，セカンダリー・コンポーネント・キャリア）のみを含むＴＡ ｇｒｏｕｐについて、そのうちの１つのＳＣＣを選択してＲＡを行なうことができるため、ＬＴＥ-Ａ Ｒｅｌ-１１は、ＳＣＣ上のＰＲＡＣＨ伝送をサポートするが、現在、１つのアップリンクサブフレームにおいて複数のキャリア上でＰＲＡＣＨを伝送することをサポートしないことを明記した。
【先行技術文献】
【特許文献】
【００１６】
【特許文献１】中国特許出願公開第１０２２３８７１６号明細書
【発明の概要】
【発明が解決しようとする課題】
【００１７】
アップリンク同期外れである１つのＴＡ ｇｒｏｕｐにおけるＳＣＣがＰＲＡＣＨを送信する場合、他のアップリンク同期であるＴＡ ｇｒｏｕｐにおける１つまたは複数のアップリンクキャリアに、ＰＵＣＣＨ/ＰＵＳＣＨ等のアップリンク信号の伝が同時の存在する可能性があるため、ＬＴＥ-Ａ Ｒｅｌ-１１はＰＲＡＣＨとＰＵＣＣＨ/ＰＵＳＣＨとの同時伝送をサポートすべきである。同一のアップリンクサブフレームにおけるＰＲＡＣＨとＰＵＣＣＨ/ＰＵＳＣＨのアップリンク送信時刻が整合されていないことを考え、かつＰＲＡＣＨ（例えば、preamble format １、２及び３）が複数のアップリンクサブフレームにおいて持続伝送される可能性があり、ＰＵＣＣＨ/ＰＵＳＣＨが、所属するアップリンクサブフレームにおいて、全部または一部のＳＣ−ＦＤＭＡ符号上で、ＰＲＡＣＨと重複伝送になる可能性がある。現在、従来技術は、各アップリンク信号の総計発送電力がＵＥの許可最大発送電力を超えないような、ＰＲＡＣＨがＰＵＣＣＨ/ＰＵＳＣＨとの重複伝送の状況でのアップリンク電力制御案をまだ案出していない。
【００１８】
本発明に係る実施例は、アップリンク電力制御方法及びユーザー装置を提供し、ＰＲＡＣＨと他のアップリンク信号と重複伝送の状況において、アップリンク電力制御を行なう。
【課題を解決するための手段】
【００１９】
本発明に係る実施例は、アップリンク電力制御方法と、ユーザー装置とを提供する。
【００２０】
本発明に係るアップリンク電力制御方法は、ユーザー装置（ＵＥ）が、現在アップリンクサブフレームにおける各アップリンク同期のアップリンク・コンポーネント・キャリア上で伝送するアップリンク信号の目標発送電力を確定するステップと、現在アップリンクサブフレームにおいて、アップリンク・セカンダリーコンポーネントキャリアに物理ランダムアクセス・チャネル（ＰＲＡＣＨ）伝送があるか否かを判断するステップと、もしあると判断すれば、前記ＰＲＡＣＨの目標発送電力を確定し、前記アップリンク信号と前記ＰＲＡＣＨの目標発送電力の和が前記ＵＥの最大発送電力を超えるか否かを判断するステップと、もし超えると判断すれば、前記ＰＲＡＣＨの目標発送電力をそのままに保持し、現在アップリンクサブフレームにおける前記アップリンク信号の発送電力の和が前記ＵＥの最大発送電力から前記ＰＲＡＣＨの目標発送電力をひいた差を越えないことを満足できるまでに、現在アップリンクサブフレームにおける前記アップリンク信号における電力減少を行なう必要があるアップリンク信号の全部または一部のシングルキャリア周波数分割多重接続（ＳＣ−ＦＤＭＡ）符号の目標発送電力を減少するステップとを備える。
【００２１】
本発明に係るユーザー装置は、現在アップリンクサブフレームにおける各アップリンク同期のアップリンク・コンポーネント・キャリア上で伝送するアップリンク信号の目標発送電力を確定する第１発送電力確定ユニットと、現在アップリンクサブフレームにおいて、アップリンク・セカンダリーコンポーネントキャリアに物理ランダムアクセス・チャネル（ＰＲＡＣＨ）伝送があるか否かを判断するチャネル判断ユニットと、チャネル判断ユニットがあると判断する場合、前記ＰＲＡＣＨの目標発送電力を確定する第２発送電力確定ユニットと、前記アップリンク信号と前記ＰＲＡＣＨの目標発送電力の和が前記ユーザー装置（ＵＥ）の最大発送電力を超えるか否かを判断する発送電力判断ユニットと、発送電力判断ユニットが超えると判断する場合、前記ＰＲＡＣＨの目標発送電力をそのままに保持し、現在アップリンクサブフレームにおける前記アップリンク信号の発送電力の和が前記ＵＥの最大発送電力から前記ＰＲＡＣＨの目標発送電力をひいた差を越えないことを満足できるまでに、現在アップリンクサブフレームにおける前記アップリンク信号中の電力減少を行なう必要があるアップリンク信号の全部または一部のシングルキャリア周波数分割多重接続（ＳＣ−ＦＤＭＡ）符号の目標発送電力を減少させる電力制御ユニットとを備える。
【発明の効果】
【００２２】
本発明に係る実施例の技術案によれば、ＵＥが、現在アップリンクサブフレームにおける各アップリンク同期のアップリンク・コンポーネント・キャリア上で伝送するアップリンク信号の目標発送電力を確定し、現在アップリンクサブフレームにおいて、アップリンク・セカンダリーコンポーネントキャリアにＰＲＡＣＨ伝送があるか否かを判断し、もしあると判断すれば、ＰＲＡＣＨと前記アップリンク信号の重複伝送が存在することを示す。この際、ＵＥは、前記ＰＲＡＣＨの目標発送電力を確定でき、前記アップリンク信号と前記ＰＲＡＣＨの目標発送電力の和が前記ＵＥの最大発送電力を超えるか否かを判断する。もし超えると判断すれば、前記ＰＲＡＣＨの目標発送電力をそのままに保持し、現在アップリンクサブフレームにおける前記アップリンク信号の発送電力之和が、前記ＵＥの最大発送電力から前記ＰＲＡＣＨの目標発送電力をひいた差を越えないことを満足できるまでに、現在アップリンクサブフレームにおける前記アップリンク信号中の電力減少を行なう必要があるアップリンク信号の全部または一部のＳＣ−ＦＤＭＡ符号の目標発送電力を減少させる。よって、本発明に係る実施例の技術案は、ＰＲＡＣＨが他のアップリンク信号と重複伝送する状況において、アップリンク電力制御をお子なる具体的な考案を提供して、ＵＥの通常運行を確保できる。
【図面の簡単な説明】
【００２３】
【図１】従来技術におけるｐｒｅａｍｂｌｅシーケンス構造図である。
【図２】従来技術における、ＰＲＡＣＨ構造図である。
【図３】本発明に係る実施例１における、アップリンク電力制御方法のフローチャートである。
【図４Ａ】本発明に係る実施例１における、ＰＲＡＣＨとＰＵＣＣＨ/ＰＵＳＣＨの重複伝送を示す図である。
【図４Ｂ】本発明に係る実施例における、ＰＲＡＣＨとＰＵＣＣＨ/ＰＵＳＣＨの重複伝送を示す図である。
【図４Ｃ】本発明に係る実施例１における、ＰＲＡＣＨとＰＵＣＣＨ/ＰＵＳＣＨの重複伝送を示す図である。
【図５】本発明に係る実施例における、ＰＲＡＣＨとＰＵＣＣＨ/ＰＵＳＣＨの重複伝送を示す図である。
【図６Ａ】本発明に係る実施例１における、ＰＲＡＣＨとＰＵＣＣＨ/ＰＵＳＣＨの重複伝送を示す図である。
【図６Ｂ】本発明に係る実施例１における、ＰＲＡＣＨとＰＵＣＣＨ/ＰＵＳＣＨの重複伝送を示す図である。
【図６Ｃ】本発明に係る実施例１における、ＰＲＡＣＨとＰＵＣＣＨ/ＰＵＳＣＨの重複伝送を示す図である。
【図７】本発明に係る実施例２におけるＵＥ構造図である。
【発明を実施するための形態】
【００２４】
以下、図面を参照しなから、本出願の実施例技術案の主な実施原理、具体的な実施方法及びそれに応じる発明の効果について詳細に説明する。
【００２５】
〈実施例１〉
図３に示すように、本発明に係る実施例１におけるアップリンク電力制御方法のフローチャートは、ステップ３１と、ステップ３２と、ステップ３３と、ステップ３４とを備える。
【００２６】
ステップ３１において、ＵＥが、現在アップリンクサブフレームにおける各アップリンク同期のアップリンク・コンポーネント・キャリア上で伝送するアップリンク信号の目標発送電力を確定する。
【００２７】
ここで、前記アップリンク信号は、ＰＵＳＣＨ、ＰＵＣＣＨ、ＳＲＳのうちの少なくとも１つであるが、これらに限られない。
【００２８】
ステップ３２において、現在アップリンクサブフレームにおいて、アップリンクＳＣＣにＰＲＡＣＨ伝送があるか否かを判断する。
【００２９】
ＬＴＥ-Ａ Ｒｅｌ-１１において、異なる帯域の無線信号伝送特性及び伝送経路が相違する可能性があるため、アップリンク伝送遅延も異なり、異なるキャリアが同一のアップリンクサブフレームにおいて送信する信号が、基地局に着く時間がそれぞれとなり、よって、異なるキャリアが、異なるＴＡでアップリンク送信時間を調整する。そのため、同一または類似する伝送遅延のキャリアを１つグルップに分けて、１つのＴＡ ｇｒｏｕｐと呼ばれる。同一のＴＡ ｇｒｏｕｐに属するキャリアが、同一のＴＡを利用し、当該ＴＡ ｇｒｏｕｐにおける１つのキャリア状のＲＡプロセスによって当該ＴＡ ｇｒｏｕｐに対応するＴＡ値を獲得する。１つのＴＡ ｇｒｏｕｐがアップリンク同期外れとなる場合、当該ＴＡ ｇｒｏｕｐにおいて１つのキャリアを保留し、ＲＡプロセスによりアップリンク同期を行ない、ＴＡ値を獲得する。ＰＣＣを含むＴＡ ｇｒｏｕｐについて、ＰＣＣはＲＡを行うキャリアであり、ＳＣＣのみを含むＴＡ ｇｒｏｕｐについて、１つのＳＣＣを選択してＲＡを行なうことができる。
【００３０】
従い、もしＴＡ ｇｒｏｕｐがアップリンク同期外れとなれば、当該ＴＡ ｇｒｏｕｐにおけるあるキャリアがＲＡを開始して新ＴＡを獲得する。もしこのとき、ＴＡ ｇｒｏｕｐにＰＣＣが含まれば、当該ＰＣＣによりＲＡを開始する。また、ＰＣＣがＲＡを行なう場合、現在アップリンクサブフレーム中にはＰＵＣＣＨ/ＰＵＳＣＨ/ＳＲＳ等アップリンク信号の伝送が存在しないため、現在アップリンクサブフレームにおいてＰＲＡＣＨとＰＵＣＣＨ/ＰＵＳＣＨ/ＳＲＳ等のアップリンク信号の重複伝送状況が行なわない。もし当該アップリンク同期外れのＴＡ ｇｒｏｕｐにＰＰＣが含まず、ＳＣＣのみが含まれば、１つのＳＣＣによってＲＡを開始する。このとき、他のアップリンク同期のＴＡ ｇｒｏｕｐにおけるアップリンク・コンポーネント・キャリアには、ＰＵＣＣＨ/ＰＵＳＣＨ/ＳＲＳ等のアップリンク信号の伝送が同時に存在する可能性があり、ＰＲＡＣＨは、ＰＵＣＣＨ/ＰＵＳＣＨ/ＳＲＳとともに、全部または一部のＳＣ−ＦＤＭＡ符号上で重複伝送となる。
【００３１】
ステップ３３において、もしあると判断すれば、前記ＰＲＡＣＨの目標発送電力を確定し、前記アップリンク信号と前記ＰＲＡＣＨの目標発送電力の和が、前記ＵＥの最大発送電力を超えるか否かを判断する。
【００３２】
もしＵＥが、現在アップリンクサブフレームにおいて、アップリンクＳＣＣにＰＲＡＣＨ伝送がなければ、ＵＥがアップリンク電力制御を行なう方法は以下２つがあるが、これらに限られない。
【００３３】
〈方法１〉
ＵＥが、ＬＴＥ-Ａ Ｒｅｌ-１０のアップリンク電力制御案を利用して、まず、前記アップリンク信号の目標発送電力の和が前記ＵＥの最大発送電力を超えるか否かを判断する。
【００３４】
もし前記アップリンク信号の目標発送電力の和が前記ＵＥの最大発送電力超えると判断すれば、このとき、ＵＥがアップリンク電力制御を行なうべきであることを示す。ＵＥは、現在アップリンクサブフレームにおける前記アップリンク信号の発送電力の和が前記ＵＥの最大発送電力を超えないことを満足するまでに、現在アップリンクサブフレームにおける前記アップリンク信号中の、電力減少を行なう必要があるアップリンク信号の全部ＳＣ−ＦＤＭＡ符号の目標発送電力を減少させる。
【００３５】
ここで、電力減少をする必要があるアップリンク信号は、アップリンク信号優先レベルに基づいて、現在アップリンクサブフレームにおいて、前記アップリンク信号から選択した最低優先レベルであり、且つ発送電力が零ではないアップリンク信号である。電力減少をする必要があるアップリンク信号が複数である場合、現在アップリンクサブフレームにおける前記アップリンク信号の発送電力の和が前記ＵＥの最大発送電力を超えないことを満足するまでに、複数のアップリンク信号に対し電力を均一に減少させる。即ち、ＰＵＣＣＨ＞ＵＣＩを搬送するＰＵＳＣＨ＞ＵＣＩを搬送しないＰＵＳＣＨとのＲｅｌ-１０アップリンク信号優先レベルに基づいて、ＵＣＩを搬送しないＰＵＳＣＨに対し、電力を減少する。ＵＣＩを搬送しないＰＵＳＣＨ電力を０までに減らす場合、現在アップリンクサブフレームにおける前記アップリンク信号の発送電力の和が、前記ＵＥの最大発送電力を超えれば、ＵＣＩを搬送するＰＵＳＣＨに対し、電力を減少する。アップリンクサブフレームにおける前記アップリンク信号の発送電力の和が前記ＵＥの最大発送電力を超えないことを満足するまでに、このように類推する。特に、１つのＴＡ ｇｒｏｕｐにおけるＳＲＳと、他のＴＡ ｇｒｏｕｐにおけるＰＵＣＣＨ/ＰＵＳＣＨとの同時伝送をサポートする場合、マルチＴＡ伝送ときの、ＳＲＳとＰＵＣＣＨ/ＰＵＳＣＨとの同時伝送に応じる電力制御方法で、電力制御を行なう。
【００３６】
もし前記アップリンク信号の目標発送電力の和が前記ＵＥの最大発送電力を超えなければ、このとき、ＵＥがアップリンク電力制御を行なう必要がないと判断でき、ＵＥは、前記アップリンク信号の目標発送電力で送信できる。
【００３７】
〈方法２〉
ＰＵＣＣＨ/ＰＵＳＣＨ/ＳＲＳ等アップリンク信号と同時に伝送するＰＲＡＣＨが、現在アップリンクサブフレームにおいて伝送されていないが、現在サブフレームの直前隣接アップリンクサブフレームにおいて伝送された可能性がある。このとき、ＵＥは、現在アップリンクサブフレームの直前隣接アップリンクサブフレーム（もしＴＤＤシステムの場合、直前隣接アップリンクサブフレームにはUpPTSも含まれる）において、アップリンクＳＣＣにＰＲＡＣＨ伝送があるか否かを判断する。もしＰＲＡＣＨ伝送があると判断すれば、ＵＥは、現在アップリンクサブフレームにおける前記アップリンク信号が、直前隣接アップリンクサブフレームにおける前記ＰＲＡＣＨにより搬送されるｐｒｅａｍｂｌｅシーケンスと重複するかを、引き続き判断する。
【００３８】
もしＵＥが重複しないと判断すれば、ＵＥは、前記アップリンク信号の目標発送電力の和が前記ＵＥの最大発送電力を超えるか否かを、引き続き判断する。もし超えれば、このとき、ＵＥがアップリンク電力制御をする必要があることを示す。現在アップリンクサブフレームにおける前記アップリンク信号の発送電力の和が前記ＵＥの最大発送電力を超えないことを満足するまでに、ＵＥは、現在アップリンクサブフレームにおける前記アップリンク信号中の電力減少を行なう必要があるアップリンク信号の全部ＳＣ−ＦＤＭＡ符号の目標発送電力を減少することができる。例えば、方法１と同様な前記方法で電力を減少し、もし超えなければ、このとき、ＵＥがアップリンク電力制御をする必要がないことを示す。ＵＥは前記アップリンク信号の目標発送電力で送信することができる。
【００３９】
もしＵＥが重複すると判断すれば、ＵＥは、直前隣接アップリンクサブフレームにおける前記ＰＲＡＣＨの目標発送電力を確定し現在アップリンクサブフレームにおける前記アップリンク信号と直前隣接アップリンクサブフレームにおける前記ＰＲＡＣＨの目標発送電力の和が前記ＵＥの最大発送電力を超えるか否かを、更に判断する。もし超えれば、このとき、ＵＥがアップリンク電力制御をする必要があることを示す。現在アップリンクサブフレームにおける前記アップリンク信号の発送電力の和が、前記ＵＥの最大発送電力から前記ＰＲＡＣＨの目標発送電力をひいた差を越えないことを満足するまでに、ＵＥは、直前隣接アップリンクサブフレームにおける前記ＰＲＡＣＨの目標発送電力をそのままに維持することができ、且つ現在アップリンクサブフレームにおける前記アップリンク信号中の、電力減少を行なう必要があるアップリンク信号の全部または一部のＳＣ−ＦＤＭＡ符号の目標発送電力を、減少する。もし超えなければ、このとき、ＵＥがアップリンク電力制御をする必要がないことを示す。ＵＥは、前記アップリンク信号の目標発送電力で送信することができる。ここで、現在アップリンクサブフレームにおける前記アップリンク信号が、直前隣接アップリンクサブフレームにおける前記ＰＲＡＣＨにより搬送されるｐｒｅａｍｂｌｅシーケンスと重複するかを判断する過程は、下記とおりである。
【００４０】
TAC±ΔTD，C≦TGT、または、TAC±ΔTD，C＞TGTかつΔTD，C≦TTPの場合、ＵＥは、現在アップリンクサブフレームにおける前記アップリンク信号が、直前隣接アップリンクサブフレームにおける前記ＰＲＡＣＨに搬送されるｐｒｅａｍｂｌｅシーケンスと重複しない（ＧＴと一部重複だけ）と判断する。そうでなければ、ＵＥは、現在アップリンクサブフレームにおける前記アップリンク信号が、直前隣接アップリンクサブフレームにおける前記ＰＲＡＣＨに搬送されるｐｒｅａｍｂｌｅシーケンスと重複すると判断する。
【００４１】
ここで、前記アップリンク信号が第１個ＳＣ−ＦＤＭＡ符号を保留する場合（即ち、現在アップリンクサブフレームにおけるアップリンク信号が、第１個ＳＣ−ＦＤＭＡ符号において如何なる情報も伝送しない）、現在アップリンクサブフレームにおける前記アップリンク信号は、直前隣接アップリンクサブフレームにおける前記ＰＲＡＣＨにより搬送されるｐｒｅａｍｂｌｅシーケンスとも重複しない。
【００４２】
上述過程において、TACは、現在アップリンクサブフレームにおける前記アップリンク信号中の、電力減少を行なう必要があるアップリンク信号が所在するするキャリアのアップリンク送信タイミングアドバンスである、cは当該アップリンク信号が所在するするキャリア番号である。ΔTD,Cは、前記ＰＲＡＣＨが所在するするキャリアと当該アップリンク信号が所在するキャリアcのダウンリンク受信時間差（絶対値）である、一般的に３０ｕｓ（microsecond，ｕｓ）を超えず、基地局側のダウンリンクキャリア送信時間誤差が最大１.３ｕｓであることを考えると、ΔTD,Cは３１.３ｕｓを超えない。TGT＝K・1-(TCP+TSEQ)であり、Kは前記ｐｒｅａｍｂｌｅシーケンスに対応するｐｒｅａｍｂｌｅフォーマットに占用されたアップリンクサブフレーム数であり、TCPは、前記ｐｒｅａｍｂｌｅフォーマットのＣＰ長さであり、TSEQは前記ｐｒｅａｍｂｌｅフォーマットのシーケンス長さである。TTPは、前記アップリンク信号の、現在アップリンクサブフレームにおける初期伝送位置で定義したtransient period（過度期）であり、TTPを２０ｕｓまたは４０ｕｓにすることができるが、他の値に定義することもできる。本発明に係る実施例１において、これに対して限定しない。
【００４３】
ここで、上述過程において、ＵＥが、現在アップリンクサブフレームにおける前記アップリンク信号が直前隣接アップリンクサブフレームにおける前記ＰＲＡＣＨにより搬送されるｐｒｅａｍｂｌｅシーケンスと重複すると判断し、且つＰＲＡＣＨとアップリンク信号の発送電力の和がＵＥの最大発送電力を超え、ＵＥが直前隣接アップリンクサブフレームにおける前記ＰＲＡＣＨの目標発送電力をそのままに保持し、且つ現在アップリンクサブフレームにおける前記アップリンク信号中の電力減少を行なう必要があるアップリンク信号の一部ＳＣ−ＦＤＭＡ符号の目標発送電力を減少する場合、以下のような方法で実施できるが、それに限られない。
【００４４】
前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少する。
【００４５】
または、もし前記アップリンク信号に少なくとも２つのアップリンク信号が含まれ、且つ各アップリンク信号の目標発送電力の和が前記ＵＥの最大発送電力を超えなければ、前記アップリンク信号中の電力減少をする必要があるアップリンク信号に対し、現在アップリンクサブフレームにおけるアップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット（即ち、現在アップリンクサブフレーム中的第１個タイムスロット）内の全部ＳＣ−ＦＤＭＡ符号の目標発送電力を、減少する。そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少する。
【００４６】
または、現在アップリンクサブフレームにおけるアップリンク信号の第１個ＳＣ−ＦＤＭＡ符号を直接に止める（即ち、第１個ＳＣ−ＦＤＭＡ符号の発送電力を０にし、第１個ＳＣ−ＦＤＭＡ符号上のデータを送信しない）ことにより、直前隣接アップリンクサブフレームにおける、ＰＲＡＣＨにより搬送されるｐｒｅａｍｂｌｅシーケンスと現在アップリンクサブフレームにおけるアップリンク信号の重複伝送を防ぐことができる。その原因は、直前隣接アップリンクサブフレームにおける、ＰＲＡＣＨにより搬送されるｐｒｅａｍｂｌｅシーケンスと現在アップリンクサブフレームにおけるアップリンク信号の重複時間長さToverlap,Cにある。Toverlap,C＝(TAC±ΔTD,C)−TGT≦ΔTD,Cであり、１つのＳＣ−ＦＤＭＡ符号を超えない。
【００４７】
また、もしＵＥが、現在アップリンクサブフレームにおける前記アップリンク信号が、直前隣接アップリンクサブフレームにおける、前記ＰＲＡＣＨにより搬送されるｐｒｅａｍｂｌｅシーケンスと重複すると判断すれば、ＵＥは、下記ステップ３４における５つの方式で電力制御を行なうこともできる。
【００４８】
説明すべきは、上記方法２において、現在アップリンクサブフレームの直前隣接アップリンクサブフレームにＰＲＡＣＨ伝送があると判断する場合、ＵＥは現在アップリンクサブフレームにおける前記アップリンク信号が、直前隣接アップリンクサブフレームにおける前記ＰＲＡＣＨにより搬送されるｐｒｅａｍｂｌｅシーケンスと重複するかを判断せず（即ち、重複判断のステップは必須ではない）、上述重複を判断する際の電力制御方法で電力を制御すればよい。
【００４９】
ここで、上述方法２において、もし前記アップリンク信号に対応するダウンリンクサブフレームの受信時間が、前記ＰＲＡＣＨに対応するダウンリンクサブフレームの受信時間により遅れる場合、TAC±ΔTD,Cにおける「＋」を、「−」にし、遅れていない場合「＋」にする。本発明に係る実施例１において、もしＰＲＡＣＨが複数のアップリンクサブフレームにおいて持続的に送信すれば、各アップリンクサブフレームにおけるＰＲＡＣＨの発送電力が同一である。
【００５０】
ステップ３４において、もし超えると判断すれば、前記ＰＲＡＣＨの目標発送電力をそのままに保持し、現在アップリンクサブフレームにおける前記アップリンク信号の発送電力の和が前記ＵＥの最大発送電力から前記ＰＲＡＣＨの目標発送電力をひいた差を越えないことを満足できるまでに、現在アップリンクサブフレームにおける前記アップリンク信号中の電力減少を行なう必要があるアップリンク信号の全部または一部のＳＣ−ＦＤＭＡ符号の目標発送電力を減少する。
【００５１】
もしＵＥが、前記アップリンク信号と前記ＰＲＡＣＨの目標発送電力の和が前記ＵＥの最大発送電力を超えないと判断すれば、このとき、ＵＥがアップリンク電力制御をする必要がないことを示す。ＵＥは、前記アップリンク信号及び前記ＰＲＡＣＨの目標発送電力に基づいて送信する。
【００５２】
もし、ＵＥが、前記アップリンク信号と前記ＰＲＡＣＨの目標発送電力の和が前記ＵＥの最大発送電力を超えると判断すれば、このとき、ＵＥがアップリンク電力制御をする必要があることを示す。
【００５３】
本発明に係る実施例１において、ステップ３４には、ＵＥがアップリンク電力制御を行なう場合、現在アップリンクサブフレームにおける前記アップリンク信号中の、電力減少を行なう必要があるアップリンク信号の全部または一部のＳＣ−ＦＤＭＡ符号の目標発送電力を、減少する必要がある。即ち、アップリンク信号の全部ＳＣ−ＦＤＭＡ符号の目標発送電力を減少してもよいし、アップリンク信号の一部ＳＣ−ＦＤＭＡ符号の目標発送電力を減少してもよい。これに対し、本発明に係る実施例１は、５つのアップリンク電力制御の具体的な方式を提供する。
【００５４】
〈方式１〉
前記アップリンク信号中の電力減少をする必要があるアップリンク信号に対し、現在アップリンクサブフレームにおける当該アップリンク信号の全部ＳＣ−ＦＤＭＡ符号の目標発送電力を減少する。
【００５５】
〈方式２〉
前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロットにおける全部ＳＣ−ＦＤＭＡ符号の目標発送電力を減少する。ここで、前記重複するＳＣ−ＦＤＭＡ符号は、当該アップリンク信号が現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号を含む。
【００５６】
〈方式３〉
もし現在アップリンクサブフレームにおける各アップリンク同期のアップリンク・コンポーネント・キャリア上で伝送するアップリンク信号に少なくとも２つのアップリンク信号が含まれ、且つ各アップリンク信号の目標発送電力の和が前記ＵＥの最大発送電力を超えなければ、ＵＥは、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内のＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少する。そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少する。ここで、前記重複するＳＣ−ＦＤＭＡ符号は、当該アップリンク信号が現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号を含む。
【００５７】
〈方式４〉
ＵＥは、前記アップリンク信号中の電力減少をする必要があるアップリンク信号に対し、現在アップリンクサブフレームにおける当該アップリンク信号がＰＲＡＣＨにより搬送されるｐｒｅａｍｂｌｅシーケンスと重複するＳＣ−ＦＤＭＡ符号数、または現在アップリンクサブフレームにおける当該アップリンク信号がＰＲＡＣＨにより搬送されるｐｒｅａｍｂｌｅシーケンスと重複する送信時間長さに基づいて、当該アップリンク信号の全部または一部のＳＣ−ＦＤＭＡ符号の目標発送電力を減少する。ここで、前記重複するＳＣ−ＦＤＭＡ符号または重複する送信時間は、当該アップリンク信号が現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号または重複する送信時間を含む。
【００５８】
ここで、上述方式４は、方式４-１及び方式４-２をさらに具体的に含む。
【００５９】
〈方式４-１〉
ＵＥは、前記重複するＳＣ−ＦＤＭＡ符号数が予め設定したＳＣ−ＦＤＭＡ符号数（Ｎ）より大きくないかを判断するか、または、または前記重複する送信時間長さが予め設定した時間長さ閾値Tより大きくないかを判断する。もし大きくないと判断すれば、ＵＥは、現在アップリンクサブフレームにおける当該アップリンク信号内の前記重複するＳＣ−ＦＤＭＡ符号の目標発送電力を減少するか、または、現在アップリンクサブフレームにおける当該アップリンク信号内の前記重複するＳＣ−ＦＤＭＡ符号が所在するタイムスロット内の全部ＳＣ−ＦＤＭＡ符号の目標発送電力を減少する。そうでなければ、ＵＥは、現在アップリンクサブフレームにおける当該アップリンク信号の全部ＳＣ−ＦＤＭＡ符号の目標発送電力を減少する。
【００６０】
〈方式４-２〉
もし現在アップリンクサブフレームにおける各アップリンク同期のアップリンク・コンポーネント・キャリア上で伝送するアップリンク信号に少なくとも２つのアップリンク信号が含まれ、且つ各アップリンク信号の目標発送電力の和が前記ＵＥの最大発送電力を超えれば、現在アップリンクサブフレームにおける電力減少をする必要があるアップリンク信号の全部ＳＣ−ＦＤＭＡ符号の目標発送電力を減少する。
【００６１】
そうでなければ、前記アップリンク信号中の電力減少をする必要があるアップリンク信号に対し、前記重複するＳＣ−ＦＤＭＡ符号数が予め設定したＳＣ−ＦＤＭＡ符号数（Ｎ）より大きくないかを判断するか、または、前記重複する送信時間長さが予め設定した時間長さ閾値Tより大きくないかを判断する。もし大きくないと判断すれば、現在アップリンクサブフレームにおける当該アップリンク信号内の前記重複するＳＣ−ＦＤＭＡ符号の目標発送電力を減少するか、または、現在アップリンクサブフレームにおける当該アップリンク信号内の前記重複するＳＣ−ＦＤＭＡ符号が所在するタイムスロット内の全部ＳＣ−ＦＤＭＡ符号の目標発送電力を減少する。そうでなければ、現在アップリンクサブフレームにおける当該アップリンク信号の全部ＳＣ−ＦＤＭＡ符号の目標発送電力を減少する。
【００６２】
ここで、上述重複するＳＣ−ＦＤＭＡ符号は、データ伝送を有する部分のみを含む。もし上述アップリンク信号（ＰＵＣＣＨ/ＰＵＳＣＨ/ＳＲＳ）に１つまたは複数の保留したＳＣ−ＦＤＭＡ符号があれば、重複するＳＣ−ＦＤＭＡ符号は、保留したＳＣ−ＦＤＭＡ符号を止める必要がある（即ち、保留したＳＣ−ＦＤＭＡ符号を含めない）。
【００６３】
上述ＳＣ−ＦＤＭＡ符号数（N）及び時間長さ閾値Ｔは、予め設定した値である。例えば、予めにＮを、１つのタイムスロット内のＳＣ−ＦＤＭＡ符号数を超えない１つの値に定義する。即ち、通常ＣＰの場合、Ｎ≦７であり、拡張ＣＰの場合Ｎ≦６である。また、Ｔを、１つのタイムスロット長さを超えない値に定義することができる。例えば、Ｔ≦０.５ｍｓである。もちろん、他のＮとＴの定義方法もある。
【００６４】
本発明に係る実施例１において、現在アップリンクサブフレームにおける当該アップリンク信号がＰＲＡＣＨにより搬送されるｐｒｅａｍｂｌｅシーケンスと重複する送信時間長さの確定は、下記の３つの場合がある。
【００６５】
〈場合１〉
現在アップリンクサブフレームは、前記ＰＲＡＣＨの第１個伝送サブフレームであり、即ち現在アップリンクサブフレームにおけるアップリンク信号は、現在アップリンクサブフレーム仁おけるＰＲＡＣＨのみと重複伝送を行う。
【００６６】
この場合、前記ＰＲＡＣＨにおけるｐｒｅａｍｂｌｅシーケンスのformＡtが１、２または３であれば、重複する送信時間長さToverlap,C=1-(TAC±ΔTD,C)である。当該アップリンク信号に対応するダウンリンクサブフレームの受信時間が、前記ＰＲＡＣＨに対応するダウンリンクサブフレームの受信時間より遅れている場合、図４Ａに示すように、「±」を「-」にし、即ち、Toverlap,C=1-TAC+ΔTD,Cである。もし当該アップリンク信号に対応するダウンリンクサブフレームの受信時間が前記ＰＲＡＣＨに対応するダウンリンクサブフレームの受信時間より早ければ、図４Ｂに示すように、「±」を「＋」にし、即ち、Toverlap,C=1-TAC-ΔTD,Cであり、ここで、Toverlap,Cの単位はｍｓである。
【００６７】
前記ＰＲＡＣＨにおけるｐｒｅａｍｂｌｅシーケンスのｆｏｒｍａｔが０であれば、TCP+TSEQ＜1-(TAC±ΔTD,C)の場合、図４Ｃに示すように、重複する送信時間長さToverlap= TCP+TSEQであり、そうでなければ、Toverlap,C= 1-(TAC±ΔTD,C)である。上述数式において、もし当該アップリンク信号に対応するダウンリンクサブフレームの受信時間が前記ＰＲＡＣＨに対応するダウンリンクサブフレームの受信時間より早ければ、「±」を「−」にする。もし当該アップリンク信号に対応するダウンリンクサブフレームの受信時間が前記ＰＲＡＣＨに対応するダウンリンクサブフレームの受信時間より早ければ、「±」を「＋」にする。
【００６８】
〈場合２〉
現在アップリンクサブフレームが、ＰＲＡＣＨの第１個伝送サブフレームではなく、且つＰＲＡＣＨの最後１つの伝送サブフレーム（ｐｒｅａｍｂｌｅシーケンスのｆｏｒｍａｔが３であり、現在アップリンクサブフレームにはＧＴが含まない）でもなく、即ち現在アップリンクサブフレームにおけるアップリンク信号は、現在アップリンクサブフレーム及び直前隣接アップリンクサブフレームにおけるＰＲＡＣＨと重複伝送を行う。このとき、重複する送信時間長さToverlap,C= 1msであり、図５に示すように、好ましくは、このとき、ＵＥは、当該アップリンク信号の全部ＳＣ−ＦＤＭＡ符号に対し、電力を同時に減少する。
【００６９】
〈場合３〉
現在アップリンクサブフレームがＰＲＡＣＨの最後１つの伝送サブフレームであり、即ち現在アップリンクサブフレームにおけるアップリンク信号が、現在アップリンクサブフレーム及び直前隣接アップリンクサブフレームにおけるＰＲＡＣＨと重複する。もしTAC±ΔTD,C≧TGTであれば、重複する送信時間長さToverlap,C= 1msであり、図６Ａに示すように、好ましくは、このとき、ＵＥは、アップリンク信号の全部ＳＣ−ＦＤＭＡ符号に対し、電力を同時に減少する。そうでなければ、重複する送信時間長さToverlap,C= 1＋(TAC±ΔTD,C)−TGTであり、図６Ｂ及び６Ｃに示すようである。上述数式において、もし当該アップリンク信号に対応するダウンリンクサブフレームの受信時間が、前記ＰＲＡＣＨに対応するダウンリンクサブフレームの受信時間より早ければ、「±」を「−」にし、もし当該アップリンク信号に対応するダウンリンクサブフレームの受信時間が、前記ＰＲＡＣＨに対応するダウンリンクサブフレームの受信時間より早ければ、「±」を「＋」にする。
【００７０】
図４Ａ、図４Ｂ、図４Ｃ、図５、図６Ａ、図６Ｂ、図６Ｃにおいて、ＣＣ１、ＣＣ２は、ＴＡ ｇｒｏｕｐ１におけるキャリアであり、ＣＣ２は、ＴＡ ｇｒｏｕｐ１におけるキャリアであり、ＣＣ１で伝送するアップリンク信号は、ＰＵＣＣＨであり、ＣＣ２で伝送するアップリンク信号はＰＵＳＣＨであり、ＣＣ３で伝送するアップリンク信号はＰＲＡＣＨであり、ＴＡ１はＴＡ ｇｒｏｕｐ１におけるＴＡであり、即ちＴＡ１は、ＰＵＣＣＨを伝送するＣＣ１とＰＵＳＣＨを伝送するＣＣ２のＴＡである。
【００７１】
ＵＥは、重複する送信時間長さToverlap,Cを確定後、重複するＳＣ−ＦＤＭＡ符号数Noverlap,Cをさらに確定することができる。Noverlap,Cは、重複する送信時間長さToverlap,Cと、キャリア上の各ＳＣ−ＦＤＭＡ符号の実際時間長さに基づいて確定できる。
【００７２】
〈方式５〉
ＵＥは、設定したｐｒｅａｍｂｌｅ ｆｏｒｍａｔに基づいて上述どちらの方式でアップリンク電力制御を行うかを確定する。例えば、ｐｒｅａｍｂｌｅ ｆｏｒｍａｔが０または２である場合、上述方式２または方式３でアップリンク電力制御を行うことができ、ｐｒｅａｍｂｌｅ ｆｏｒｍａｔが１または３である場合、上述方式１または方式４でアップリンク電力制御を行うことができる。
【００７３】
本発明に係る実施例１において、現在アップリンクサブフレームに存在するＰＲＡＣＨ伝送、または、現在アップリンクサブフレームにＰＲＡＣＨ伝送が存在しない２つ場合の複数の電力減少方法は、下記の具体過程にて、現在アップリンクサブフレームにおける前記アップリンク信号中の電力減少を行なう必要があるアップリンク信号の全部または一部のＳＣ−ＦＤＭＡ符号の目標発送電力を減少するが、これに限られない。
【００７４】
ＵＥは、まずアップリンク信号優先レベルに基づいて、現在アップリンクサブフレームにおける前記アップリンク信号中の最低優先レベルの発送電力が零ではないアップリンク信号を、電力減少をする必要があるアップリンク信号として確定する。各アップリンク信号のアップリンク信号優先レベルの高低順位は、ＰＵＣＣＨ＞ＵＣＩを搬送するＰＵＳＣＨ＞ＵＣＩを搬送しないＰＵＳＣＨ＞ＳＲＳである。ＵＥは、電力減少をする必要があるアップリンク信号の全部または一部のＳＣ−ＦＤＭＡ符号の目標発送電力に対し、電力を均一に減少する。即ち、優先レベルが最低の的アップリンク信号の目標発送電力を優先的に均一に減少し、電力減少後の全部アップリンク信号の発送電力の和がＵＥの許可最大発送電力を超えないことを満足する。もし低優先レベルのアップリンク信号の目標発送電力が０までに減少しても、全部アップリンク信号の発送電力の和がＵＥの許可最大発送電力を超える場合、ＵＥは、２次低優先レベルのアップリンク信号の目標発送電力を減少する。このように類推し、電力減少後の全部アップリンク信号の発送電力の和がＵＥの許可最大発送電力を超えないまでに、上記の動作を繰り返す。
【００７５】
もし現在アップリンクサブフレームにおける前記アップリンク信号がＳＲＳを含めば、ＵＥは、アップリンク信号優先レベルに基づいて、現在アップリンクサブフレームにおける前記アップリンク信号中のＳＲＳ以外の、最低優先レベルであり、且つ発送電力が零ではないアップリンク信号を、電力減少をする必要があるアップリンク信号として確定し、ＳＲＳ以外の現在アップリンクサブフレームにおける前記アップリンク信号の目標発送電力の和が現在使用可能の最大発送電力を超えないことを満足するまでに、前記電力減少をする必要があるアップリンク信号の全部または一部のＳＣ−ＦＤＭＡ符号の目標発送電力に対し、電力を均一に減少する。且つ、現在アップリンクサブフレームにおける前記ＳＲＳ及び前記アップリンク信号中のＳＲＳと重複するアップリンク信号の発送電力の和が現在使用可能の最大発送電力を超えないことを満足するまでに、前記ＳＲＳの目標発送電力に対し、電力を均一に減少する。ここで、上述現在使用可能の最大発送電力は、前記ＵＥの最大発送電力（例えば、現在アップリンクサブフレームにＰＲＡＣＨ伝がない場合、または、現在アップリンクサブフレームにＰＲＡＣＨ伝送がないが、現在アップリンクサブフレームの直前隣接アップリンクサブフレームにＰＲＡＣＨ伝送があり、かつＰＲＡＣＨがアップリンク信号と重複しない場合）でもよいし、前記ＵＥの最大発送電力からＰＲＡＣＨの目標発送電力をひいた値である（例えば、現在アップリンクサブフレームにＰＲＡＣＨ伝送があるか、または、現在アップリンクサブフレームにＰＲＡＣＨ伝送がないが、現在アップリンクサブフレームの直前隣接アップリンクサブフレームにＰＲＡＣＨ伝送があり、且つＰＲＡＣＨがアップリンク信号と重複する場合）。他のマルチＴＡ伝送の場合、異なるＴＡ ｇｒｏｕｐにおけるＳＲＳがアップリンクチャネル（ＰＵＣＣＨ/ＰＵＳＣＨ/ＰＲＡＣＨ）と同時に伝送する電力制御方法もある。
【００７６】
説明すべきは、本発明に係る実施例１において、ＵＥが現在アップリンクサブフレームにおける前記アップリンク信号中の電力減少をする必要があるアップリンク信号の一部ＳＣ−ＦＤＭＡ符号のみに対して電力を減少する場合、現在アップリンクサブフレームにおけるアップリンク信号の残り部分のＳＣ−ＦＤＭＡ符号に対し、Ｒｅｌ-１０の電力制御方法に従って電力制御を独立行い、現在アップリンクサブフレームにおけるアップリンク信号の、当該部分のＳＣ−ＦＤＭＡ符号での発送電力の和がＵＥ最大発送電力を超えないことを満足する。
【００７７】
本発明に係る実施例１において、方法１でアップリンク電力制御を行う場合、図４Ａ、図４Ｂ、図４Ｃ、図５、図６Ａ、図６Ｂ、図６Ｃについて、アップリンクサブフレームiにおけるアップリンク信号のいくつかのＳＣ−ＦＤＭＡ符号がＰＲＡＣＨと重複するのかに関わらず、ＵＥは、常にアップリンク信号の全部ＳＣ−ＦＤＭＡ符号に対して電力を同時に減少する。
【００７８】
方法２でアップリンク電力制御を行う場合、図４Ａ、図４Ｂ、図４Ｃ、図５、図６Ａ、図６Ｂ、図６Ｃについて、アップリンクサブフレームiにおけるアップリンク信号のいくつかのＳＣ−ＦＤＭＡ符号がＰＲＡＣＨと重複するのかに関わらず、重複ＳＣ−ＦＤＭＡ符号のみに対して電力を減少するか、または、重複するＳＣ−ＦＤＭＡ符号が所在するタイムスロットに基づいて判断する。図４Ａ、図４Ｃ、図５、図６Ａ、図６Ｂについて、重複するＳＣ−ＦＤＭＡ符号が２つのタイムスロットにともに存在し、このとき、ＵＥは、アップリンク信号の全部ＳＣ−ＦＤＭＡ符号に対して電力を同時に減少する。図４Ｂにおいて、重複するＳＣ−ＦＤＭＡ符号が第２回タイムスロットのみに存在し、このとき、ＵＥは、アップリンク信号の第２個タイムスロット内のＳＣ−ＦＤＭＡ符号のみに対して電力を減少する。図６Ｃにおいて、重複するＳＣ−ＦＤＭＡ符号は、第１個タイムスロットのみに存在し、このとき、ＵＥは、アップリンク信号の第１個タイムスロット内のＳＣ−ＦＤＭＡ符号のみに対して電力を減少する。
【００７９】
方法３でアップリンク電力制御を行う場合、図４Ａ、図４Ｂ、図４Ｃ、図５、図６Ａ、図６Ｂ、図６Ｃにおいて、もし現在アップリンクサブフレームにおいて、ＰＵＣＣＨとＰＵＳＣＨの目標発送電力の和がＵＥの最大発送電力を超えなければ、方法２でアップリンク電力制御を行うことができる。そうでなければ、アップリンク信号の全部ＳＣ−ＦＤＭＡ符号に対し、電力を同時に減少する。
【００８０】
方法４-１でアップリンク電力制御を行う場合、ＳＣ−ＦＤＭＡ符号数（N）を７に定義し、時間長さ閾値Tを０.５ｍｓに定義すると仮説する。図４Ａ、図４Ｃ、図５、図６Ａ、図６Ｂにおいて、重複するＳＣ−ＦＤＭＡ符号数がNを超えるか、または、重複する送信時間長さがTを超える。このとき、ＵＥは、アップリンク信号の全部ＳＣ−ＦＤＭＡ符号に対して、電力を同時に減少する。図４Ｂ、図６Ｃにおいて、重複するＳＣ−ＦＤＭＡ符号数がNを超えず、または、重複する送信時間長さはTを超えていない。このとき、ＵＥは、重複するＳＣ−ＦＤＭＡ符号のみに対して電力を減少する。または、図４Ｂにおいて、重複するＳＣ−ＦＤＭＡ符号が第２个タイムスロットのみに存在し、このとき、ＵＥは、第２個タイムスロットにおけるＳＣ−ＦＤＭＡ符号に対して電力を減少する。図６Ｃにおいて、重複するＳＣ−ＦＤＭＡ符号は、第１個タイムスロットのみに存在し，このとき、ＵＥは、第１個タイムスロットにおけるＳＣ−ＦＤＭＡ符号のみに対して電力を減少する。 
【００８１】
方法４-２でアップリンク電力制御を行う場合、図４Ａ、図４Ｂ、図４Ｃ、図５、図６Ａ、図６Ｂ、図６Ｃについて、もしアップリンクサブフレームiにおいて、ＰＵＣＣＨとＰＵＳＣＨの目標発送電力の和がＵＥの最大発送電力を超えなければ、方法４-１でアップリンク電力制御を行うことができる。そうでなければ、アップリンク信号の全部ＳＣ−ＦＤＭＡ符号に対して、電力を同時に減少する。
【００８２】
本発明に係る実施例１において、アップリンクサブフレームにおける各アップリンク同期のアップリンク・コンポーネント・キャリアと、伝送ＰＲＡＣＨ的アップリンクＳＣＣとは、異なるＴＡ ｇｒｏｕｐに属する。もし、現在アップリンクサブフレームにおける各アップリンク同期のアップリンク・コンポーネント・キャリア上で伝送するアップリンク信号が少なくとも２個アップリンク信号を含めば、これらのアップリンク信号のＴＡ値が同じでもよく、即ち，これらのアップリンク信号を伝送するアップリンク・コンポーネント・キャリアは、同一ＴＡ ｇｒｏｕｐに属することができる。これらのアップリンク信号のＴＡ値は、異なってもよく、即ち、これらのアップリンク信号を伝送するアップリンク・コンポーネント・キャリアは、異なるＴＡ ｇｒｏｕｐに属することもできる。
【００８３】
本発明に係る実施例により提供するアップリンク電力制御方法は、LTEシステムに適用できる同時、FDD（Frequency Division Duplexing）システム及びＴＤＤシステムにも適用できる。
【００８４】
上述の処理過程から下記のことがわかる。本発明に係る実施例の技術案によれば、ＵＥは、現在アップリンクサブフレームにおける各アップリンク同期のアップリンク・コンポーネント・キャリア上で伝送するアップリンク信号の目標発送電力を確定し、現在アップリンクサブフレームにおいて、アップリンク・セカンダリーコンポーネントキャリアにＰＲＡＣＨ伝送があるかを判断する。もしあると判断すれば、ＰＲＡＣＨが前記アップリンク信号と重複伝送することを示す。このとき、ＵＥは、前記ＰＲＡＣＨの目標発送電力を確定することができ、前記アップリンク信号と前記ＰＲＡＣＨの目標発送電力の和が前記ＵＥの最大発送電力を超えるか否かを判断し、もし超えると判断すれば、前記ＰＲＡＣＨの目標発送電力をそのままに保持し、且つ、現在アップリンクサブフレームにおける前記アップリンク信号の発送電力の和が前記ＵＥの最大発送電力から前記ＰＲＡＣＨの目標発送電力をひいた差を越えないことを満足するまでに、現在アップリンクサブフレームにおける前記アップリンク信号中の電力減少を行なう必要があるアップリンク信号の全部または一部のＳＣ−ＦＤＭＡ符号の目標発送電力を減少する。よって、本発明に係る実施例の技術案は、ＰＲＡＣＨが他のアップリンク信号と重複伝送する場合の、アップリンク電力制御の具体的な実施案を提供し、ＵＥの正常運行を確保できる。
【００８５】
〈実施例２〉
本発明に係る実施例１に提供するアップリンク電力制御方法に基づいて、本発明に係る実施例２は、図７に示すような構造を有するＵＥを提供する。当該ＵＥは、第１発送電力確定ユニット７１と、チャネル判断ユニット７２と、第２発送電力確定ユニット７３と、発送電力判断ユニット７４と、電力制御ユニット７５とを備える。
【００８６】
前記第１発送電力確定ユニット７１は、現在アップリンクサブフレームにおける各アップリンク同期のアップリンク・コンポーネント・キャリア上で伝送するアップリンク信号の目標発送電力を確定する。
【００８７】
前記チャネル判断ユニット７２は、現在アップリンクサブフレームにおいて、アップリンク・セカンダリーコンポーネントキャリアにＰＲＡＣＨ伝送があるかを判断する。
【００８８】
前記第２発送電力確定ユニット７３は、チャネル判断ユニット７２があると判断する場合、前記ＰＲＡＣＨの目標発送電力を確定する。
【００８９】
前記発送電力判断ユニット７４は、前記アップリンク信号と前記ＰＲＡＣＨの目標発送電力の和が前記ＵＥの最大発送電力を超えるかを判断する。
【００９０】
前記電力制御ユニット７５は、発送電力判断ユニット７４が超えると判断する場合、前記ＰＲＡＣＨの目標発送電力をそのままに保持し、現在アップリンクサブフレームにおける前記アップリンク信号の発送電力の和が前記ＵＥの最大発送電力から前記ＰＲＡＣＨの目標発送電力をひいた差を越えないことを満足するまでに、現在アップリンクサブフレームにおける前記アップリンク信号中の電力減少を行なう必要があるアップリンク信号の全部または一部のＳＣ−ＦＤＭＡ符号の目標発送電力を減少する。
【００９１】
本発明に係る実施例２の１つ好ましい実施方式において、前記ＵＥは、発送電力判断ユニット７４が前記アップリンク信号と前記ＰＲＡＣＨの目標発送電力の和が前記ＵＥの最大発送電力を超えていないと判断する場合、前記アップリンク信号及び前記ＰＲＡＣＨの目標発送電力で送信する送信ユニットをさらに備える。
【００９２】
本発明に係る実施例２の１つ好ましい実施方式において、前記チャネル判断ユニット７２が、現在アップリンクサブフレームにおいて、アップリンク・セカンダリーコンポーネントキャリアにＰＲＡＣＨ伝送がないと判断する場合、前記発送電力判断ユニット７４は、前記アップリンク信号の目標発送電力の和が前記ＵＥの最大発送電力を超えるか否かを判断する。
【００９３】
前記発送電力判断ユニット７４が超えると判断する場合、前記電力制御ユニット７５は、現在アップリンクサブフレームにおける前記アップリンク信号の発送電力の和が前記ＵＥの最大発送電力を超えないことを満足するまでに、現在アップリンクサブフレームにおける前記アップリンク信号中の電力減少を行なう必要があるアップリンク信号の全部ＳＣ−ＦＤＭＡ符号の目標発送電力を減少する。
【００９４】
前記発送電力判断ユニット７４が超えていないと判断する場合、前記送信ユニット７５は、前記アップリンク信号の目標発送電力で送信する。
【００９５】
本発明に係る実施例の１つ好ましい実施方式において、前記ＵＥは、前記チャネル判断ユニット７２が、現在アップリンクサブフレームにおいて、アップリンク・セカンダリーコンポーネントキャリアにＰＲＡＣＨ伝送がなく、且つ現在アップリンクサブフレームの直前隣接アップリンクサブフレームにおいて、アップリンク・セカンダリーコンポーネントキャリアにＰＲＡＣＨ伝送があると判断する場合、現在アップリンクサブフレームにおける前記アップリンク信号が、直前隣接アップリンクサブフレームにおける前記ＰＲＡＣＨにより搬送されるｐｒｅａｍｂｌｅシーケンスと重複するかを判断する重複判断ユニットをさらに備える。
【００９６】
前記重複判断ユニットが重複がないと判断する場合、前記発送電力判断ユニット７４は、前記アップリンク信号の目標発送電力の和が前記ＵＥの最大発送電力を超えるか否かを判断する。
【００９７】
前記発送電力判断ユニット７４が前記アップリンク信号の目標発送電力の和が前記ＵＥの最大発送電力を超えると判断する場合、前記電力制御ユニット７５は、現在アップリンクサブフレームにおける前記アップリンク信号の発送電力の和が前記ＵＥの最大発送電力を超えないことを満足するまでに、現在アップリンクサブフレームにおける前記アップリンク信号中の電力減少を行なう必要があるアップリンク信号の全部ＳＣ−ＦＤＭＡ符号の目標発送電力を減少する。
【００９８】
前記発送電力判断ユニット７４が、前記アップリンク信号の目標発送電力の和が前記ＵＥの最大発送電力を超えないと判断すれば、前記送信ユニットは、前記アップリンク信号の目標発送電力で送信する。
【００９９】
前記重複判断ユニットが重複があると判断する場合、前記第２発送電力確定ユニット７３は、直前隣接アップリンクサブフレームにおける前記ＰＲＡＣＨの目標発送電力を確定する。
【０１００】
前記発送電力判断ユニット７４は、現在アップリンクサブフレームにおける前記アップリンク信号と直前隣接アップリンクサブフレームにおける前記ＰＲＡＣＨの目標発送電力の和が前記ＵＥの最大発送電力を超えるか否かを判断する
【０１０１】
前記発送電力判断ユニット７４が、現在アップリンクサブフレームにおける前記アップリンク信号と直前隣接アップリンクサブフレームにおける前記ＰＲＡＣＨの目標発送電力の和が前記ＵＥの最大発送電力を超えると判断する場合、前記電力制御ユニット７５は、直前隣接アップリンクサブフレームにおける前記ＰＲＡＣＨの目標発送電力をそのままに保持し、且つ、現在アップリンクサブフレームにおける前記アップリンク信号の発送電力の和が前記ＵＥの最大発送電力から前記ＰＲＡＣＨの目標発送電力をひいた差を越えないことを満足するまでに、現在アップリンクサブフレームにおける前記アップリンク信号中の電力減少を行なう必要があるアップリンク信号の全部または一部のＳＣ−ＦＤＭＡ符号の目標発送電力を減少する。
【０１０２】
前記発送電力判断ユニット７４が、現在アップリンクサブフレームにおける前記アップリンク信号と直前隣接アップリンクサブフレームにおける前記ＰＲＡＣＨの目標発送電力の和が前記ＵＥの最大発送電力を超えていないと判断する場合、前記送信ユニットは、前記アップリンク信号の目標発送電力で送信する。
【０１０３】
本発明に係る実施例２のより好ましい実施方式において、前記重複判断ユニットは、TAC±ΔTD,C≦TGT、または、TAC±ΔTD,C＞TGT且つΔTD,C≦TTPである場合、判断現在アップリンクサブフレームにおける前記アップリンク信号が、直前隣接アップリンクサブフレームにおける前記ＰＲＡＣＨにより搬送されるｐｒｅａｍｂｌｅシーケンスと重複しないと判断する。そうでなければ、現在アップリンクサブフレームにおける前記アップリンク信号が、直前隣接アップリンクサブフレームにおける前記ＰＲＡＣＨにより搬送されるｐｒｅａｍｂｌｅシーケンスと重複すると判断する。
【０１０４】
ここで、TACは、当該アップリンク信号が所在するキャリア的アップリンク送信タイミングアドバンスであり、Ｃは、当該アップリンク信号が所在するキャリア番号である。ΔTD, Cは、前記ＰＲＡＣＨが所在するキャリアと、当該アップリンク信号が所在するキャリアとのダウンリンク受信時間差である。TGT=K・1-(TCP+TSEQ)であり、Kは、前記ｐｒｅａｍｂｌｅシーケンスに対応するｐｒｅａｍｂｌｅフォーマットに占用されたアップリンクサブフレーム数であり、TCPは前記ｐｒｅａｍｂｌｅフォーマットのＣＰ長さであり、TSEQは前記ｐｒｅａｍｂｌｅフォーマットのシーケンス長さであり、TTPは、前記アップリンク信号の、現在アップリンクサブフレームの初期伝送位置で定義したtransient periodである。
【０１０５】
本発明に係る実施例２のより好ましい実施方式において、前記電力制御ユニット７５が、直前隣接アップリンクサブフレームにおける前記ＰＲＡＣＨの目標発送電力をそのままに保持し、且つ現在アップリンクサブフレームにおける前記アップリンク信号中の電力減少を行なう必要があるアップリンク信号の一部ＳＣ−ＦＤＭＡ符号の目標発送電力を減少する場合、前記電力制御ユニット７５は、具体的に下記のことに用いられる。
【０１０６】
前記電力制御ユニット７５は、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少し、または、現在アップリンクサブフレームにおける当該アップリンク信号内の、ＰＲＡＣＨにより搬送されるｐｒｅａｍｂｌｅシーケンスの重複ＳＣ−ＦＤＭＡ符号が所在するタイムスロット内の全部ＳＣ−ＦＤＭＡ符号の目標発送電力を減少する。
【０１０７】
または、前記電力制御ユニット７５は、もし前記アップリンク信号に少なくとも２つのアップリンク信号が含まれ、且つ各アップリンク信号の目標発送電力の和が前記ＵＥの最大発送電力を超えない場合い、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少する。または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少する。そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少する。
【０１０８】
本発明に係る実施例２の好ましい実施方式において、前記電力制御ユニット７５は、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するが、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少する。ここで、前記重複するＳＣ−ＦＤＭＡ符号は、当該アップリンク信号が、現在アップリンクサブフレーム及び直前隣接アップリンクサブフレーム内のＰＲＡＣＨにより搬送されるｐｒｅａｍｂｌｅシーケンスと重複するＳＣ−ＦＤＭＡ符号を含む。
【０１０９】
本発明に係る実施例２の好ましい実施方式において、前記電力制御ユニット７５は、もし前記アップリンク信号に少なくとも２つのアップリンク信号が含まれ、且つ各アップリンク信号の目標発送電力の和が前記ＵＥの最大発送電力を超えなければ、前記アップリンク信号中の電力減少をする必要があるアップリンク信号に対し、現在アップリンクサブフレームにおける当該アップリンク信号内の、ＰＲＡＣＨにより搬送されるｐｒｅａｍｂｌｅシーケンスと重複するＳＣ−ＦＤＭＡ符号の目標発送電力を減少するか、または、現在アップリンクサブフレームにおける当該アップリンク信号内の、ＰＲＡＣＨにより搬送されるｐｒｅａｍｂｌｅシーケンスと重複するＳＣ−ＦＤＭＡ符号が所在するタイムスロット内の全部ＳＣ−ＦＤＭＡ符号の目標発送電力を減少する。ここで、前記重複するＳＣ−ＦＤＭＡ符号は、当該アップリンク信号が、現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号を含む。
【０１１０】
そうでなければ、前記アップリンク信号中の電力減少をする必要があるアップリンク信号に対し、現在アップリンクサブフレームにおける当該アップリンク信号の全部ＳＣ−ＦＤＭＡ符号の目標発送電力を減少する。
【０１１１】
本発明に係る実施例２の好ましい実施方式において、前記電力制御ユニット７５は、前記アップリンク信号中の電力減少をする必要があるアップリンク信号に対し、現在アップリンクサブフレームにおける当該アップリンク信号がＰＲＡＣＨにより搬送されるｐｒｅａｍｂｌｅシーケンスと重複するＳＣ−ＦＤＭＡ符号数または現在アップリンクサブフレームにおける当該アップリンク信号がＰＲＡＣＨにより搬送されるｐｒｅａｍｂｌｅシーケンスと重複する送信時間長さに基づいて、当該アップリンク信号の全部または一部のＳＣ−ＦＤＭＡ符号の目標発送電力を減少する。ここで、前記重複するＳＣ−ＦＤＭＡ符号または重複する送信時間は、当該アップリンク信号が現在アップリンクサブフレーム及び直前隣接アップリンクサブフレームにおけるＰＲＡＣＨにより搬送されるｐｒｅａｍｂｌｅシーケンスと重複するＳＣ−ＦＤＭＡ符号または重複する送信時間を含む。
【０１１２】
本発明に係る実施例２のより好ましい実施方式において、前記電力制御ユニット７５は、前記重複するＳＣ−ＦＤＭＡ符号数が予め設定したＳＣ−ＦＤＭＡ符号数より大きくないかを判断するか、または、前記重複する送信時間長さが予め設定した時間長さ閾値より大きくないかを判断する。
【０１１３】
もし大きくないと判断すれば、現在アップリンクサブフレームにおける当該アップリンク信号内の前記重複するＳＣ−ＦＤＭＡ符号の目標発送電力を減少するか、または、現在アップリンクサブフレームにおける当該アップリンク信号内の、前記重複するＳＣ−ＦＤＭＡ符号が所在するタイムスロット内の全部ＳＣ−ＦＤＭＡ符号の目標発送電力を減少する。
【０１１４】
そうでなければ、現在アップリンクサブフレームにおける当該アップリンク信号の全部ＳＣ−ＦＤＭＡ符号の目標発送電力を減少する。
【０１１５】
本発明に係る実施例２のより好ましい実施方式において、前記電力制御ユニット７５は、もし現在アップリンクサブフレームにおける前記アップリンク信号に少なくとも２つのアップリンク信号が含まれ、且つ各アップリンク信号の目標発送電力の和が前記ＵＥの最大発送電力を超えれば、現在アップリンクサブフレームにおける電力減少をする必要があるアップリンク信号の全部ＳＣ−ＦＤＭＡ符号の目標発送電力を減少する。
【０１１６】
そうでなければ、前記アップリンク信号中の電力減少をする必要があるアップリンク信号に対し、前記重複するＳＣ−ＦＤＭＡ符号数が予め設定したＳＣ−ＦＤＭＡ符号数より大きくないかを判断するか、または、前記重複する送信時間長さが予め設定した時間長さ閾値より大きくないかを判断する。
【０１１７】
もし大きくないと判断すれば、現在アップリンクサブフレームにおける当該アップリンク信号内の前記重複するＳＣ−ＦＤＭＡ符号の目標発送電力を減少するか、または、現在アップリンクサブフレームにおける当該アップリンク信号中前記重複するＳＣ−ＦＤＭＡ符号が所在するタイムスロット内の全部ＳＣ−ＦＤＭＡ符号の目標発送電力を減少する。もし大きいと判断すれば、現在アップリンクサブフレームにおける当該アップリンク信号の全部ＳＣ−ＦＤＭＡ符号の目標発送電力を減少する。
【０１１８】
本発明に係る実施例２の好ましい実施方式において、前記電力制御ユニット７５は、アップリンク信号優先レベルに基づいて、現在アップリンクサブフレームにおける前記アップリンク信号中の、最低優先レベルであり、且つ発送電力が零ではないアップリンク信号を、電力減少をする必要があるアップリンク信号として確定し、前記電力減少をする必要があるアップリンク信号の全部または一部のＳＣ−ＦＤＭＡ符号の目標発送電力に対し、電力を均一に減少する。
【０１１９】
または、もし現在アップリンクサブフレームにおける前記アップリンク信号にＳＲＳが含まれば、ＳＲＳ以外の現在アップリンクサブフレームにおける前記アップリンク信号の目標発送電力の和が現在使用可能の最大発送電力を超えないことを満足するまでに、アップリンク信号優先レベルに基づいて、現在アップリンクサブフレームにおける前記アップリンク信号における、ＳＲＳ以外の、最低優先レベル的発送電力非零的アップリンク信号を、電力減少をする必要があるアップリンク信号として確定し、前記電力減少をする必要があるアップリンク信号の全部または一部のＳＣ−ＦＤＭＡ符号の目標発送電力に対し、電力を均一に減少する。且つ、現在アップリンクサブフレームにおける前記ＳＲＳ及び前記アップリンク信号中の、前記ＳＲＳと重複するアップリンク信号の発送電力の和が現在使用可能の最大発送電力を超えないことを満足するまでに、前記ＳＲＳの目標発送電力に対し、電力を均一に減少，する。前記現在使用可能の最大発送電力は、前記ＵＥの最大発送電力または前記ＵＥの最大発送電力減去ＰＲＡＣＨの目標発送電力である。
【０１２０】
ここで、前記アップリンク信号の優先レベルの高低順位は、ＰＵＣＣＨ＞ＵＣＩを搬送するＰＵＳＣＨ＞高于ＵＣＩを搬送しないＰＵＳＣＨ＞ＳＲＳである。
【０１２１】
本発明に係る実施例２の好ましい実施方式において、前記アップリンク信号は、ＰＵＣＣＨ及び/またはＰＵＳＣＨ及び/またはＳＲＳを含む。
【０１２２】
本発明に係る実施例２の好ましい実施方式において、前記ＰＲＡＣＨが複数のアップリンクサブフレームにおいて持続的に送信される場合、各アップリンクサブフレームにおけるＰＲＡＣＨの発送電力が同一である。
【０１２３】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１２４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１２５】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１２６】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１２７】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１２８】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2015515197.tif 000007
【図２】
2015515197.tif 000008
【図３】
2015515197.tif 000009
【図４Ａ】
2015515197.tif 000010
【図４Ｂ】
2015515197.tif 000011
【図４Ｃ】
2015515197.tif 000012
【図５】
2015515197.tif 000013
【図６Ａ】
2015515197.tif 000014
【図６Ｂ】
2015515197.tif 000015
【図６Ｃ】
2015515197.tif 000016
【図７】
2015515197.tif 000017
【国際調査報告】
2015515197.tif 000018
2015515197.tif 000019
2015515197.tif 000020
2015515197.tif 000021